(57)【要約】構成が簡単で安価であり、確実にハンドルの偶発的あるいは誤動作による弁開閉を防止できる手動式弁、それを装着した液体製品充填用容器および製造装置および弁開閉防止方法の提供。ロック部材２Ａを外側に固定して装着した手動式弁１Ａであって、前記ロック部材２Ａは、弁外側に固定して装着した固定部３と、前記固定部３にヒンジ７を介して連結した回転可能な支持部６と、前記支持部６の先端部に固定して設置するか、あるいは回転可能に設置したハンドルロック部８とを備えた手動式弁１Ａにより課題を解決できる。
2009119887.tif 000002
【特許請求の範囲】
【請求項１】
ハンドルの偶発的あるいは誤動作による弁開閉を防止するためのロック部材を外側に固定して装着した手動式弁であって、
前記ロック部材は、弁外側に固定して装着した固定部と、前記固定部にヒンジを介して連結した回転可能な支持部と、前記支持部の先端部に固定して設置するか、あるいは回転可能に設置したハンドルロック部とを備えたことを特徴とする手動式弁。
【請求項２】
さらに弁外側に固定して装着したチェーン付き固定ピンを備えたことを特徴とする請求項１記載の手動式弁。
【請求項３】
前記支持部のハンドルロック部がハンドルの外面上の少なくとも一部を包み込んで両者を組み合わせることができる相似形状を有することを特徴とする請求項１あるいは請求項２記載の手動式弁。
【請求項４】
前記ロック部材を外側に２個固定して装着した手動式弁であって、前記２個のロック部材は共通の固定部に固定して装着してあり、かつ前記ハンドルが回転軸を中心として棒状のハンドルであり、一方のロック部材のハンドルロック部を前記棒状のハンドルの一端を包み込んで用いるか、あるいはさらに他方のロック部材のハンドルロック部を前記棒状のハンドルの他端を包み込んで用いることを特徴とする請求項３記載の手動式弁。
【請求項５】
前記固定ピンを通して固定するために、前記ハンドルロック部と対応するハンドルの部分に貫通して予めスルーホールが設置されていることを特徴とする請求項２から請求項４のいずれかに記載の手動式弁。
【請求項６】
前記支持部を、前記ヒンジを介して弁から離れるように回転させた後、前記支持部が前記ヒンジに備えたバネの作用によって、回転前の位置に戻る機能を備えたことを特徴とする請求項１から請求項５のいずれかに記載の手動式弁。
【請求項７】
前記手動式弁が、ボール弁であることを特徴とする請求項１から請求項６のいずれかに記載の手動式弁。
【請求項８】
請求項１から請求項７のいずれかに記載の手動式弁の使用時において、次の操作（１）〜（４）によりハンドルの偶発的あるいは誤動作による弁の開閉を防止することを特徴とする弁開閉防止方法。
（１）前記ハンドルロック部を先端部に固定した支持部を、ハンドル操作の邪魔にならないようにヒンジを介して弁から離れるように回転させる。
（２）次に、ハンドルを操作して弁を開あるいは閉の状態に設定する。
（３）弁を開あるいは閉の状態に設定した後、前記支持部をヒンジを介して弁の方向に回転させて、前記支持部のハンドルロック部がハンドルの外面上の少なくとも一部を包むように組み合わせてハンドルを固定する。
（４）前記ロック部材を外側に２個固定して装着した手動式弁であって、かつ前記ハンドルが回転軸を中心として棒状のハンドルである場合は、弁を開あるいは閉の状態に設定した後、前記支持部をヒンジを介して弁の方向に回転させて、一方のロック部材のハンドルロック部を前記棒状のハンドルの一端を包み込んでハンドルを固定するか、あるいはさらに同様にして他方のロック部材のハンドルロック部を前記棒状のハンドルの他端を包み込んでハンドルを固定する。
（５）必要に応じて前記チェーン付き固定ピンを、前記ハンドルロック部と対応するハンドルの部分に貫通して予め設置したスルーホールに挿入して固定する。
【請求項９】
請求項１から請求項７のいずれかに記載の手動式弁を直接的および／または間接的に装着したことを特徴とする液体製品充填用容器。
【請求項１０】
請求項１から請求項７のいずれかに記載の手動式弁を、流動性のある粉体あるいは液体を流通させる配管に装着したことを特徴とする製造装置。
【発明の詳細な説明】
【技術分野】
【０００１】
本発明は手動式弁、それを装着した液体製品充填用容器および製造装置および弁開閉防止方法に関するものであり、更に詳細には、ハンドルの偶発的あるいは誤動作による弁開閉を防止するためのロック部材を外側に固定して装着した手動式弁、それを装着した液体製品充填用容器および製造装置およびそれを用いた弁開閉防止方法に関するものである。
【背景技術】
【０００２】
開閉弁は、固体、液体、気体あるいはこれらの混合物を輸送するコンテナや配管などに組み込み、輸送を止めたり、輸送を行ったりするために、水道の蛇口に設置されているようなハンドルを回転させて弁の開閉が行われる。ボール弁やコックバルブなどの開閉弁は、構造が簡単で気密性が高く、ハンドルの回転で開閉が迅速に行われるために広く用いられている。
しかし、日常の作業で人や物によって過ってハンドルが回転してしまう場合がある。するとコンテナの場合は内容物が漏洩してしまい、配管途中のバルブでは流動物が遮断され、化学装置の場合には目的物を製造できなくなったり、あるいは重大な事故に繋る危険もある。
そのため、例えば、図６（イ）に示したように、配管２０に設置した開閉弁２１（例えば、閉の状態）の外側に巻き付けて固定した固定具２２に電気用結束バンド２３の一端を巻き付け、電気用結束バンド２３の他端をハンドル２４に巻き付けて開閉を防止したり、図６（ロ）に示したように、配管２０に設置した開閉弁２１（例えば、閉の状態）のハンドル２４にワンタッチカプラーを使用してその一端を巻き付け、その他端を近傍に設置したボルト２５に巻き付けて開閉を防止したりすることが行われている。
一方、弁が開の状態ではカプラーの取り外しを不可能にし、弁が閉の状態でカプラーの取り外しを可能にした誤操作防止バルブ（特許文献１参照）やハンドルに係合するストッパーに全開時回動阻止部と全閉時回動阻止部とを設けた流体制御器（特許文献２参照）が提案されている。
【特許文献１】特開平１１−１５３２４９号公報
【特許文献２】特開２００２−５３３２号公報
【発明の開示】
【発明が解決しようとする課題】
【０００３】
しかし電気用結束バンドを使用した場合、閉状態から開状態にするためには、バンドを切断する必要があり、再使用は不可能である。ワンタッチカプラーを使用すると切断の必要はないが、樹脂製材料では破断などが起きるとロック不可能になる。したがってこれらの方法では確実性や信頼性に問題があり、前記特許文献記載のものは機構が複雑でありコスト高になるなどの問題があった。
本発明の第１の目的は、ハンドルの偶発的あるいは誤動作による弁開閉を防止するためのロック部材を外側に固定して装着した手動式弁であって、構成が簡単で安価であり、しかも確実にハンドルの偶発的あるいは誤動作による弁開閉を防止できる手動式弁を提供することであり、
本発明の第２の目的は、その手動弁を装着した液体製品充填用容器を提供することであり、
本発明の第３の目的は、その手動弁を装着した製造装置を提供することであり、
本発明の第４の目的は、そのような手動式弁を用いた弁開閉防止方法を提供することにある。
【課題を解決するための手段】
【０００４】
題記課題を解決するための本発明の請求項１記載の手動式弁は、ハンドルの偶発的あるいは誤動作による弁開閉を防止するためのロック部材を外側に固定して装着した手動式弁であって、
前記ロック部材は、弁外側に固定して装着した固定部と、前記固定部にヒンジを介して連結した回転可能な支持部と、前記支持部の先端部に固定して設置するか、あるいは回転可能に設置したハンドルロック部とを備えたことを特徴とする。
本発明の請求項２記載の発明は、請求項１記載の手動式弁において、さらに弁外側に固定して装着したチェーン付き固定ピンを備えたことを特徴とする。
本発明の請求項３記載の発明は、請求項１あるいは請求項２記載の手動式弁において、前記支持部のハンドルロック部がハンドルの外面上の少なくとも一部を包み込んで両者を組み合わせることができる相似形状を有することを特徴とする。
本発明の請求項４記載の発明は、請求項３記載の手動式弁において、前記ロック部材を外側に２個固定して装着した手動式弁であって、前記２個のロック部材は共通の固定部に固定して装着してあり、かつ前記ハンドルが回転軸を中心として棒状のハンドルであり、一方のロック部材のハンドルロック部を前記棒状のハンドルの一端を包み込んで用いるか、あるいはさらに他方のロック部材のハンドルロック部を前記棒状のハンドルの他端を包み込んで用いることを特徴とする。
本発明の請求項５記載の発明は、請求項２から請求項４のいずれかに記載の手動式弁において、前記固定ピンを通して固定するために、前記ハンドルロック部と対応するハンドルの部分に貫通して予めスルーホールが設置されていることを特徴とする。
本発明の請求項６記載の発明は、請求項１から請求項５のいずれかに記載の手動式弁において、前記支持部を、前記ヒンジを介して弁から離れるように回転させた後、前記支持部が前記ヒンジに備えたバネの作用によって、回転前の位置に戻る機能を備えたことを特徴とする。
本発明の請求項７記載の発明は、請求項１から請求項６のいずれかに記載の手動式弁において、前記手動式弁が、ボール弁であることを特徴とする。
本発明の請求項８記載の発明は、請求項１から請求項７のいずれかに記載の手動式弁の使用時において、次の操作（１）〜（４）によりハンドルの偶発的あるいは誤動作による弁の開閉を防止することを特徴とする弁開閉防止方法である。
（１）前記ハンドルロック部を先端部に固定した支持部を、ハンドル操作の邪魔にならないようにヒンジを介して弁から離れるように回転させる。
（２）次に、ハンドルを操作して弁を開あるいは閉の状態に設定する。
（３）弁を開あるいは閉の状態に設定した後、前記支持部をヒンジを介して弁の方向に回転させて、前記支持部のハンドルロック部がハンドルの外面上の少なくとも一部を包むように組み合わせてハンドルを固定する。
（４）前記ロック部材を外側に２個固定して装着した手動式弁であって、かつ前記ハンドルが回転軸を中心として棒状のハンドルである場合は、弁を開あるいは閉の状態に設定した後、前記支持部をヒンジを介して弁の方向に回転させて、一方のロック部材のハンドルロック部を前記棒状のハンドルの一端を包み込んでハンドルを固定するか、あるいはさらに同様にして他方のロック部材のハンドルロック部を前記棒状のハンドルの他端を包み込んでハンドルを固定する。
（５）必要に応じて前記チェーン付き固定ピンを、前記ハンドルロック部と対応するハンドルの部分に貫通して予め設置したスルーホールに挿入して固定する。
本発明の請求項９記載の発明は、請求項１から請求項７のいずれかに記載の手動式弁を直接的および／または間接的に装着したことを特徴とする液体製品充填用容器である。
本発明の請求項１０記載の発明は、請求項１から請求項７のいずれかに記載の手動式弁を、流動性のある粉体あるいは液体を流通させる配管に装着したことを特徴とする製造装置である。
【発明の効果】
【０００５】
本発明の請求項１記載の手動式弁は、ハンドルの偶発的あるいは誤動作による弁開閉を防止するためのロック部材を外側に固定して装着した手動式弁であって、前記ロック部材は、弁外側に固定して装着した固定部と、前記固定部にヒンジを介して連結した回転可能な支持部と、前記支持部の先端部に固定して設置するか、あるいは回転可能に設置したハンドルロック部とを備えたことを特徴とするものであり、
構成が簡単で安価であり、しかも確実にハンドルの偶発的あるいは誤動作による弁開閉を防止できるという顕著な効果を奏する。
本発明の請求項２記載の発明は、請求項１記載の手動式弁において、さらに弁外側に固定して装着したチェーン付き固定ピンを備えたことを特徴とするものであり、固定ピンを用いてさらに確実にハンドルの偶発的あるいは誤動作による弁開閉を防止できるというさらなる顕著な効果を奏する。
本発明の請求項３記載の発明は、請求項１あるいは請求項２記載の手動式弁において、前記支持部のハンドルロック部がハンドルの外面上の少なくとも一部を包み込んで両者を組み合わせることができる相似形状を有することを特徴とするものであり、相似形状を有するので両者を組み合わせて支持し易くなり、さらに確実にハンドルの偶発的あるいは誤動作による弁開閉を防止できるというさらなる顕著な効果を奏する。
本発明の請求項４記載の発明は、請求項３記載の手動式弁において、前記ロック部材を外側に２個固定して装着した手動式弁であって、前記２個のロック部材は共通の固定部に固定して装着してあり、かつ前記ハンドルが回転軸を中心として棒状のハンドルであり、一方のロック部材のハンドルロック部を前記棒状のハンドルの一端を包み込んで用いるか、あるいはさらに他方のロック部材のハンドルロック部を前記棒状のハンドルの他端を包み込んで用いることを特徴とするものであり、よりさらに確実にハンドルの偶発的あるいは誤動作による弁開閉を防止できるというさらなる顕著な効果を奏する。
本発明の請求項５記載の発明は、請求項２から請求項４のいずれかに記載の手動式弁において、前記固定ピンを通して固定するために、前記ハンドルロック部と対応するハンドルの部分に貫通して予めスルーホールが設置されていることを特徴とするものであり、固定ピンをスルーホールを通して固定するようにすれば、さらに確実にハンドルの偶発的あるいは誤動作による弁開閉を防止できるというさらなる顕著な効果を奏する。
本発明の請求項６記載の発明は、請求項１から請求項５のいずれかに記載の手動式弁において、前記支持部を、前記ヒンジを介して弁から離れるように回転させた後、前記支持部が前記ヒンジに備えたバネの作用によって、回転前の位置に戻る機能を備えたことを特徴とするものであり、閉時にも開時にも確実にハンドルの偶発的あるいは誤動作による弁開閉を防止できるというさらなる顕著な効果を奏する。
本発明の請求項７記載の発明は、請求項１から請求項６のいずれかに記載の手動式弁において、前記手動式弁が、ボール弁であることを特徴とするものであり、閉時にも開時にも確実にハンドルの偶発的あるいは誤動作による弁開閉を防止できるというさらなる顕著な効果を奏する。
本発明の請求項８記載の発明は、請求項１から請求項７のいずれかに記載の手動式弁の使用時において、前記操作（１）〜（４）によりハンドルの偶発的あるいは誤動作による弁の開閉を防止することを特徴とする弁開閉防止方法であり、構成が簡単で安価である本発明の手動式弁を用いて確実にハンドルの偶発的あるいは誤動作による弁開閉を防止できるという顕著な効果を奏する。
本発明の請求項９記載の発明は、請求項１から請求項７のいずれかに記載の手動式弁を直接的および／または間接的に装着したことを特徴とする液体製品充填用容器であり、構成が簡単で安価である本発明の手動式弁を、液体製品充填用容器に直接的および／または間接的に少なくとも１個装着すれば、特に液体製品充填用容器に充填したり、液体製品を充填した容器の貯蔵時や取り扱い時あるいは輸送時などにおいて、確実にハンドルの偶発的あるいは誤動作による弁開閉を容易に防止できるので、液体製品の偶発的流出や偶発的充填停止などを防止しでき、安全に確実に前記作業を行うことができるという顕著な効果を奏する。
本発明の請求項１０記載の発明は、請求項１から請求項７のいずれかに記載の手動式弁を、流動性のある粉体あるいは液体を流通させる配管に装着したことを特徴とする製造装置であり、構成が簡単で安価である本発明の手動式弁を、流動性のある粉体あるいは液体を流通させる製造装置の配管に少なくとも１個装着すれば、確実にハンドルの偶発的あるいは誤動作による弁開閉を容易に防止できるので、流動性のある粉体あるいは液体の移送や移送停止を確実に行うことができ、安全に確実に製造を行うことができるという顕著な効果を奏する。
【図面の簡単な説明】
【０００６】
図１（ａ）〜（ｄ）は、本発明の手動式弁の一実施形態を説明する説明図である。
図２（ａ）〜（ｄ）は、本発明の手動式弁の他の実施形態を説明する説明図である。
図３（ａ）〜（ｄ）は、本発明の手動式弁の他の実施形態を説明する説明図である。
図４（ａ）〜（ｄ）は、本発明の手動式弁の他の実施形態を説明する説明図である。
図５（ａ）〜（ｄ）は、本発明の手動式弁の他の実施形態を説明する説明図である。
図６（ａ）〜（ｂ）は、従来の誤操作防止弁を説明する説明図である。
図７は本発明の製造装置の一実施形態を説明する説明図である。
図８は本発明の液体製品充填用容器の一実施形態を説明する説明図である。
【符号の説明】
【０００７】
１Ａ、１Ｂ、１Ｃ、１Ｄ、１Ｅ、Ｖ１〜Ｖ１４  手動式弁
２Ａ、２Ｂ、２Ｃ、２Ｄ、２Ｅ、２Ｅ’、２Ｆ  ロック部材
Ｌ１〜Ｌ１２  配管
３  固定部
４  金属製バンド
５  調節具
６、６’  支持部
７、７’  ヒンジ
８、８’  ハンドルロック部
９  ハンドル
１０  チェーン付き固定ピン
１１、１２  小孔
２０  配管
２６  回転軸
３０  本発明の液体製品充填用容器
３１  排出部
３２  フランジ
３３  配管
３４  ストッパーで
３５  チェーン
３６  容器本体
４０  本発明の製造装置
４１  段ボール函
４２  コンベア
４３  包装された製品
４４  パレット
ＴＡ  原料Ａの貯蔵タンク
ＴＢ  原料Ｂの貯蔵タンク
Ｒ  反応装置
ＴＣ  製品貯蔵タンク
Ｓ  攪拌器
【発明を実施するための最良の形態】
【０００８】
次に本発明の内容を詳細に説明する。
（第１の実施態様）
図１（ａ）〜（ｄ）において、本発明の手動式弁１Ａは、配管２０に設置され、ロック部材２Ａを手動式弁１Ａの外側に固定して装着して構成されている。そしてロック部材２Ａは、固定部３を備えている。
４は固定部３を手動式弁１Ａの外側に固定して装着するための金属製バンドであり、５は金属製バンド４を締め付けて固定するための調節具である。
６は支持部であり、ヒンジ７を介して固定部３に連結されており、支持部６はヒンジ７を介して回転可能になっている。そして支持部６の先端部にハンドルロック部８が固定して設置してある。
ハンドルロック部８はコの字の形状に形成されており、使用時にはハンドル９の一端の外面上の一部を包み込んで両者を組み合わせることができる相似形状を有している。
１０は前記支持部６の外側に固定して装着したチェーン付き固定ピンであり、１１はハンドルロック部８の所定の箇所に設けた小孔、１２はハンドル９の所定の箇所に設けた小孔であり、ハンドルロック部８をハンドル９の一端に挿入して両者を組み合わせた後、固定ピン１０を小孔１１、１２に挿入して装着して両者を支持固定する。
本発明の手動式弁１Ａを使用して弁開閉防止方法を次に説明する。
（１）まず、ハンドルロック部８を先端部に固定した支持部６を、ハンドル９の操作の邪魔にならないようにヒンジ７を介して手動式弁１Ａから外側に離れるように回転させる。
（２）次に、ハンドル９を操作して図１（ａ）、（ｂ）に示したように弁１Ａを閉の状態に設定する。
（３）弁１Ａを閉の状態に設定した後、支持部６をヒンジ７を介して弁１Ａの方向に回転させて、図１（ａ）に示したように支持部６のハンドルロック部８がハンドル９の外面上の少なくとも一部を包むように組み合わせてハンドル９を固定する。
ヒンジ７に図示しないバネを設置しておき、支持部６を、ヒンジ７を介して弁１Ａから離れるように回転させた後、支持部６をヒンジ７に備えた図示しないバネの作用によって、回転前の位置に戻し、支持部６のハンドルロック部８がハンドル９の外面上の少なくとも一部を包むように組み合わせてハンドル９を固定するようにすることもできる。
（４）図１（ａ）、（ｂ）に示したようにチェーン付き固定ピン１０を、ハンドルロック部８と対応するハンドル９の部分に貫通して予め設置した小孔１１、１２（スルーホール）に挿入して固定する。
前記のようにして確実にハンドル９の偶発的あるいは誤動作による弁開閉を防止できる。
前記操作（２）において、ハンドル９を操作して図１（ｃ）、（ｄ）に示したように弁１Ａを開の状態に設定した後、前記操作（３）において支持部６をヒンジ７を介して弁１Ａの方向に回転させて元の位置に戻すことにより、ハンドル９を操作しようとしても、ハンドル９や手などがハンドルロック部８に当たるのでハンドル９の操作ができない。このようにしてハンドル９の偶発的あるいは誤動作による弁開閉を防止できる。
（第２の実施態様）
本発明の他の手動式弁１Ｂを次に説明する。
図２（ａ）〜（ｄ）において、本発明の手動式弁１Ｂは、配管２０に設置され、ロック部材２Ｂを手動式弁１Ｂの外側に固定して装着して構成されている。そしてロック部材２Ｂは、固定部３を備えている。
４は固定部３を手動式弁１Ｂの外側に固定して装着するための金属製バンドであり、５は金属製バンド４を締め付けて固定するための調節具である。
６は支持部であり、ヒンジ７を介して固定部３に連結されており、支持部６はヒンジ７を介して回転可能になっている。そして支持部６の先端部にハンドルロック部８が固定して設置してある。
ハンドルロック部８は、支持部６の先端部をＬ字の形状に曲げて形成されており、使用時にはハンドル９の上面を覆って両者を組み合わせることができる形状を有している。
１０は前記支持部６の外側に固定して装着したチェーン付き固定ピンであり、１１はハンドルロック部８の所定の箇所に設けた小孔、１２はハンドル９の所定の箇所に設けた小孔であり、ハンドルロック部８をハンドル９の上面を覆って両者を組み合わせた後、固定ピン１０を小孔１１、１２に挿入して装着して両者を支持固定する。
本発明の手動式弁１Ｂを使用して弁開閉防止方法を次に説明する。
（１）まず、ハンドルロック部８を先端部に固定した支持部６を、ハンドル９の操作の邪魔にならないようにヒンジ７を介して手動式弁１Ｂから外側に離れるように回転させる。
（２）次に、ハンドル９を操作して図２（ａ）〜（ｄ）に示したように弁１Ｂを閉の状態に設定する。
（３）弁１Ｂを閉の状態に設定した後、支持部６をヒンジ７を介して弁１Ｂの方向に回転させて、図２（ａ）〜（ｂ）に示したように支持部６のハンドルロック部８がハンドル９の上面を覆って両者を組み合わせてハンドル９を固定する。
ヒンジ７に図示しないバネを設置しておき、支持部６をヒンジ７を介して弁１Ａから離れるように回転させた後、支持部６をヒンジ７に備えた図示しないバネの作用によって、回転前の位置に戻し、支持部６のハンドルロック部８がハンドル９の上面を覆って両者を組み合わせてハンドル９を固定することもできる。
（４）図２（ａ）、（ｂ）に示したように、チェーン付き固定ピン１０を、ハンドルロック部８と対応するハンドル９の部分に貫通して予め設置した小孔１１、１２（スルーホール）に挿入して固定する。
前記のようにして確実にハンドル９の偶発的あるいは誤動作による弁開閉を防止できる。
（第３の実施態様）
本発明の他の手動式弁１Ｃを次に説明する。
図３（ａ）〜（ｄ）において、本発明の手動式弁１Ｃは、配管２０に設置され、ロック部材２Ｃを手動式弁１Ｃの外側に固定して装着して構成されている。そしてロック部材２Ｃは、固定部３を備えている。
４は固定部３を手動式弁１Ｃの外側に固定して装着するための金属製バンドであり、５は金属製バンド４を締め付けて固定するための調節具である。
６は支持部であり、ヒンジ７を介して固定部３に連結されており、支持部６はヒンジ７を介して回転可能になっている。そして支持部６の先端部にハンドルロック部８が固定して設置してある。
ハンドルロック部８はコの字の形状に形成されており、使用時にはハンドル９の一端の外面上の一部を包み込んで両者を組み合わせることができる相似形状を有している。
本発明の手動式弁１Ｃを使用して弁開閉防止方法を次に説明する。
（１）まず、ハンドルロック部８を先端部に固定した支持部６を、ハンドル９の操作の邪魔にならないようにヒンジ７を介して手動式弁１Ｃから外側に離れるように回転させる。
（２）次に、ハンドル９を操作して図３（ａ）、（ｂ）に示したように弁１Ｃを閉の状態に設定する。
（３）弁１Ｃを閉の状態に設定した後、支持部６をヒンジ７を介して弁１Ｃの方向に回転させて、図３（ａ）、（ｂ）に示したように支持部６のハンドルロック部８がハンドル９の外面上の少なくとも一部を包むように組み合わせてハンドル９を固定する。
ヒンジ７に図示しないバネを設置しておき、支持部６を、ヒンジ７を介して弁１Ｃから離れるように回転させた後、支持部６をヒンジ７に備えた図示しないバネの作用によって、回転前の位置に戻し、支持部６のハンドルロック部８がハンドル９の外面上の少なくとも一部を包むように組み合わせてハンドル９を固定するようにすることもできる。
前記のようにして確実にハンドル９の偶発的あるいは誤動作による弁開閉を防止できる。
前記操作（２）において、ハンドル９を操作して図１（ｃ）、（ｄ）に示したように弁１Ｃを開の状態に設定した後、前記操作（３）において支持部６をヒンジ７を介して弁１Ｃの方向に回転させて元の位置に戻すことにより、ハンドル９を操作しようとしても、ハンドル９や手などがハンドルロック部８に当たるのでハンドル９の操作ができない。このようにしてハンドル９の偶発的あるいは誤動作による弁開閉を防止できる。
（第４の実施態様）
本発明の他の手動式弁１Ｄを次に説明する。
図４（ａ）〜（ｄ）において、本発明の手動式弁１Ｄは、配管２０に設置され、ロック部材２Ｄを手動式弁１Ｄの外側に固定して装着して構成されている。そしてロック部材２Ｄは、固定部３を備えている。
４は固定部３を手動式弁１Ｄの外側に固定して装着するための金属製バンドであり、５は金属製バンド４を締め付けて固定するための調節具である。
６は支持部であり、ヒンジ７を介して固定部３に連結されており、支持部６はヒンジ７を介して回転可能になっている。そして支持部６の先端部に回転可能にハンドルロック部８が設置してある。
支持部６の先端部に回転可能に設置されたハンドルロック部８は、太い丸棒や平角棒や太い針金などで略四角の中空の形状に形成されており、使用時にはハンドル９の外周を包み込んで両者を組み合わせることができる相似形状を有している。
本発明の手動式弁１Ｄを使用して弁開閉防止方法を次に説明する。
（１）まず、ハンドルロック部８を先端部に固定した支持部６を、ハンドル９の操作の邪魔にならないようにヒンジ７を介して手動式弁１Ｄから外側に離れるように回転させる。
（２）次に、ハンドル９を操作して図４（ａ）〜（ｂ）に示したように弁１Ｄを閉の状態に設定する。
（３）弁１Ｄを閉の状態に設定した後、支持部６をヒンジ７を介して弁１Ｄの方向に回転させて、支持部６のハンドルロック部８の回転も行って、ハンドルロック部８がハンドル９の外周を包み込んで両者を組み合わせてハンドル９を固定する。
ヒンジ７に図示しないバネを設置しておき、支持部６を、ヒンジ７を介して弁１Ｃから離れるように回転させた後、支持部６をヒンジ７に備えた図示しないバネの作用によって、回転前の位置に戻し、ハンドルロック部８の回転も行って、ハンドルロック部８がハンドル９の外周を包み込んで両者を組み合わせてハンドル９を固定するようにすることもできる。
前記のようにして確実にハンドル９の偶発的あるいは誤動作による弁開閉を防止できる。
前記操作（２）において、ハンドル９を操作して図４（ｃ）、（ｄ）に示したように弁１Ｄを開の状態に設定した後、前記操作（３）において支持部６をヒンジ７を介して弁１Ｄの方向に回転させて元の位置に戻すことにより、ハンドル９を操作しようとしても、ハンドル９や手などがハンドルロック部８に当たるのでハンドル９の操作ができない。このようにしてハンドル９の偶発的あるいは誤動作による弁開閉を防止できる。
（第５の実施態様）
図５（ａ）〜（ｄ）を用いて本発明の他の手動式弁１Ｅを次に説明する。
すなわちロック部材を外側に２個（２Ｅ、２Ｅ’）固定して装着した手動式弁１Ｅであって、前記２個のロック部材（２Ｅ、２Ｅ’）は共通の固定部３に固定して装着してあり、かつハンドル９が回転軸２６を中心として棒状のハンドルである場合について説明する。
図５（ａ）〜（ｄ）において、本発明の手動式弁１Ｅは、配管２０に設置され、ロック部材２Ｅ、２Ｅ’を手動式弁１Ｅの外側に固定して２個装着して構成されている。そしてロック部材２Ｅ、２Ｅ’は、固定部３を備えている。前記２個のロック部材２Ｅ、２Ｅ’は共通の固定部３に固定して装着してある。
４は固定部３を手動式弁１Ｅの外側に固定して装着するための金属製バンドであり、５は金属製バンド４を締め付けて固定するための調節具である。
６、６’は支持部であり、ヒンジ７、７’を介して共通の固定部３に連結されており、支持部６、６’はヒンジ７、７’を介して回転可能になっている。そして支持部６、６’の先端部にハンドルロック部８、８’が固定して設置してある。
ハンドルロック部８、８’はコの字の形状に形成されており、使用時にハンドル９のそれぞれの一端の外面上の一部を包み込んで両者を組み合わせることができる相似形状を有している。
本発明の手動式弁１Ｅを使用して弁開閉防止方法を次に説明する。
（１）まず、ハンドルロック部８を先端部に固定した支持部６、６’を、ハンドル９の操作の邪魔にならないようにヒンジ７、７’を介して手動式弁１Ｅから外側に離れるように回転させる。
（２）次に、ハンドル９を操作して図５（ａ）〜（ｂ）に示したように弁１Ｅを閉の状態に設定する。
（３）弁１Ｅを閉の状態に設定した後、支持部６、６’をヒンジ７、７’を介して弁１Ｅの方向に回転させて、図５（ｂ）に示したように支持部６、６’のハンドルロック部８、８’がハンドル９のそれぞれの一端の外面上の少なくとも一部を包み込むように組み合わせてハンドル９を固定する。
ヒンジ７に図示しないバネを設置しておき、支持部６、６’を、ヒンジ７、７’を介して弁１Ｅから離れるように回転させた後、支持部６、６’をヒンジ７、７’に備えた図示しないバネの作用によって、回転前の位置に戻し、ハンドルロック部８、８’がハンドル９の外周の少なくとも一部を包み込むように組み合わせてハンドル９を固定するようにすることもできる。
前記のようにして確実にハンドル９の偶発的あるいは誤動作による弁開閉を防止できる。
上記実施の形態の説明は、本発明を説明するためのものであって、特許請求の範囲に記載の発明を限定し、或は範囲を減縮するものではない。又、本発明の各部構成は上記実施の形態に限らず、特許請求の範囲に記載の技術的範囲内で種々の変形が可能である。
（１）前記第１〜５の実施形態においては、ハンドル９は直線的棒状のものを示したが、ハンドル９の形状は特に限定されるものではなく、丸型、三角、四角などいずれでも差し支えない。
（２）前記第１〜５の実施形態においては、主として手動式弁を閉にした場合について説明したが、勿論、本発明においては手動式弁を開にした場合についても適用可能である。
（３）本発明においては、新品の手動式弁にロック部材を取り付けるだけでなく、配管などに組み込んである現在使用中の手動式弁にロック部材を取り付け、使用中の手動式弁を改造することも可能である。
（４）ロック部材は、金属製、樹脂製あるいはこれらの組合わせでもよく、強度および機能を満足するものであれば材質は特に限定されるものではない。
（５）ロック部材を取り付ける弁の種類は、ボール弁あるいはバタフライ弁など可能であるが、ボール弁であることが最も好ましい。またボール弁という形式を備えていれば、外形はどのような形の弁でも本発明のロック部材を取り付けることが可能であり、本発明の範囲に含まれる。
（本発明の製造装置の一実施形態）
図７は本発明の製造装置の一実施形態を説明する説明図である。
図７を用いて本発明の製造装置４０を説明する。
本発明の製造装置４０は原料Ａの貯蔵タンクＴＡに貯蔵した原料Ａを反応装置Ｒへ移送し、原料Ｂの貯蔵タンクＴＢに貯蔵した原料Ｂを反応装置Ｒへ移送して反応装置Ｒ中で原料Ａと原料Ｂを反応させて製品を製造し、製品貯蔵タンクＴＣに貯蔵するようになっている。製品貯蔵タンクＴＣに貯蔵した製品は包装されて出荷するように構成されている。
図７中のＶ１〜Ｖ１３は本発明の手動式弁、Ｌ１〜Ｌ１２は配管、ＭＶは電磁弁、Ｐはポンプ、４１は段ボール函、４２はコンベア、４３は包装された製品、４４はパレットを示す。
すなわち、原料Ａを本発明の手動式弁Ｖ１を開けて受入れ配管Ｌ１を経て配管Ｌ２を経て貯蔵タンクＴＡに貯蔵し、原料Ｂを本発明の手動式弁Ｖ６を開けて受入れ配管Ｌ６を経て配管Ｌ７を経て貯蔵タンクＴＢに貯蔵する。
貯蔵タンクＴＡ、ＴＢに貯蔵した原料Ａ、Ｂを本発明の手動式弁Ｖ２、Ｖ７を開けてそれぞれのポンプＰを作動して配管Ｌ３、Ｌ８を経て移送し、そしてドレン弁である本発明の手動式弁Ｖ３、Ｖ８は閉めておき、本発明の手動式弁Ｖ４、Ｖ９を開け、バイパス用の弁である本発明の手動式弁Ｖ５、Ｖ１０は閉めておき、電磁弁ＭＶを開けて、配管Ｌ５、Ｌ１０を経て原料Ａ、Ｂを所定量、反応装置Ｒへ移送する。
そして反応装置Ｒ中で原料Ａと原料Ｂを攪拌器Ｓで攪拌して所定圧力・温度で所定時間、反応させて製品を製造する。反応が終了したら、ドレン弁である本発明の手動式弁Ｖ１１は閉めておき、反応装置Ｒの底部に設置した電磁弁ＭＶを開けて、ポンプＰを作動して、本発明の手動式弁Ｖ１２を開け、バイパス用の弁である本発明の手動式弁Ｖ１３は閉めておき、電磁弁ＭＶを開けて、配管Ｌ１１、Ｌ１２を経て製品を、電磁弁ＭＶを開けて、製品貯蔵タンクＴＣに貯蔵する。
製品貯蔵タンクＴＣに貯蔵した製品はプラスチック製の内袋を有する段ボール函４１に充填され密封されて、コンベア４２により移送され、製品を密封包装した段ボール函４３はパレット４４上に載置され、貯蔵、輸送、出荷されるようになっている。
前記のように流動性のある粉体あるいは液体を流通させる配管に装着した本発明の手動式弁Ｖ１〜Ｖ１３は、ハンドルの偶発的あるいは誤動作による弁開閉を防止するためのロック部材を外側に固定して装着したので、確実にハンドルの偶発的あるいは誤動作による弁開閉を防止できる。
本発明の製造装置は、具体的には、例えば、本発明の手動式弁を、セメント、クレイ、ベントナイトなどの無機粉体、あるいは小麦粉などの有機粉体、塗料、高分子ラテックス製品、石油化学製品、食品のアルコール飲料、スープ類、醤油類など、液状の化学薬品など流動性のある粉体あるいは液体を流通させる化学プラントなどの配管に装着した製造装置を挙げることができる。
（本発明の液体製品充填用容器の一実施形態）
図８は本発明の液体製品充填用容器の一実施形態を説明する説明図である。
図８を用いて本発明の液体製品充填用容器（以下、容器と称す場合がある）３０を説明する。
本発明の容器３０は、容器本体３６の底部に本発明の手動式弁Ｖ１４が装着されている。本発明の容器３０の上部には液体製品を容器本体３６中に供給する図示しない供給手段があり、図示しない供給手段を用いて液体製品を容器本体３６中に充填する。
本発明の容器３０の底部には容器本体３６中に充填した液体製品の排出部３１が容器本体３６と一体的に設けられており、そして排出部３１の端部には本発明の手動式弁Ｖ１４を備えた配管３３がフランジ３２を介して接続されている。
３４は配管３３の端部を閉めるために設けて着脱可能なストッパーであり、３５はストッパー３４を係止するチェーンを示す。
図中２Ｆはロック部材、３は固定部、４は金属バンド、５は調節具、６は支持部、８はハンドルロック部、９はハンドルを示す。これらの機能、作用・効果などは前述の通りであるので、説明を省略する。
本発明の容器３０の容器本体３６中に供給する際は図示しない供給手段を用いて液体製品を容器本体３６中に充填する。容器本体３６中に液体製品を充填した本発明の容器３０は本発明の手動式弁Ｖ１４を閉めた状態で、ストッパー３４を装着して、貯蔵、保存、移送、輸送などを行うことができる。
本発明の容器３０の容器本体３６中の液体製品を取り出す際には、ストッパー３４を脱着し、適当な配管、チューブなどを配管３３の端部に付けるか、あるいは付けずに、本発明の手動式弁Ｖ１４を開けて、所定量の液体製品を取り出すことができる。
本発明の容器３０の容器本体３６中に液体製品を充填したり、液体製品を充填した容器の貯蔵時や取り扱い時あるいは輸送時などにおいて、確実にハンドル９の偶発的あるいは誤動作による弁開閉を容易に防止できるので、液体製品の偶発的流出や偶発的充填停止などを防止しでき、安全に確実に前記作業を行うことができる。
本発明の容器は、具体的には、例えば、液状化学薬品を充填するためのコンテナーなど、液体製品の運送用容器に本発明の手動式弁を装着したものであり、コンテナーが運送されるに際し、種々の衝撃あるいは物体の衝突などによって誤作動して、弁が「開」の状態になることを防止できる。
【産業上の利用可能性】
【０００９】
本発明の手動式弁は、ハンドルの偶発的あるいは誤動作による弁開閉を防止するためのロック部材を外側に固定して装着した手動式弁であって、前記ロック部材は、弁外側に固定して装着した固定部と、前記固定部にヒンジを介して連結した回転可能な支持部と、前記支持部の先端部に固定して設置するか、あるいは回転可能に設置したハンドルロック部とを備えたことを特徴とするものであり、構成が簡単で安価であり、また配管などに組み込んである現在使用中の手動式弁にロック部材を取り付け、使用中の手動式弁を改造することも可能であり、しかも確実にハンドルの偶発的あるいは誤動作による弁開閉を防止できるという顕著な効果を奏するので、産業上の利用価値は甚だ大きい。
【図１】
2009119887.tif 000003
【図２】
2009119887.tif 000004
【図３】
2009119887.tif 000005
【図４】
2009119887.tif 000006
【図５】
2009119887.tif 000007
【図６】
2009119887.tif 000008
【図７】
2009119887.tif 000009
【図８】
2009119887.tif 000010
【手続補正書】
【提出日】平成22年1月25日(2010.1.25)
【手続補正１】
【補正対象書類名】明細書
【補正対象項目名】全文
【補正方法】変更
【補正の内容】
【発明の詳細な説明】
【技術分野】  本発明は手動式ボール弁、それを装着した液体製品充填用容器および製造装置および弁開閉防止方法に関するものであり、更に詳細には、ハンドルの偶発的あるいは誤動作による弁開閉を防止するためのロック部材を外側に固定して装着した手動式ボール弁、それを装着した液体製品充填用容器および製造装置およびそれを用いた弁開閉防止方法に関するものである。
【背景技術】  開閉弁は、固体、液体、気体あるいはこれらの混合物を輸送するコンテナや配管などに組み込み、輸送を止めたり、輸送を行ったりするために、水道の蛇口に設置されているようなハンドルを回転させて弁の開閉が行われる。ボール弁やコックバルブなどの開閉弁は、構造が簡単で気密性が高く、ハンドルの回転で開閉が迅速に行われるために広く用いられている。
しかし、日常の作業で人や物によって過ってハンドルが回転してしまう場合がある。するとコンテナの場合は内容物が漏洩してしまい、配管途中のバルブでは流動物が遮断され、化学装置の場合には目的物を製造できなくなったり、あるいは重大な事故に繋る危険もある。
そのため、例えば、図６（ａ）に示したように、配管２０に設置した開閉弁２１（例えば、閉の状態）の外側に巻き付けて固定した固定具２２に電気用結束バンド２３の一端を巻き付け、電気用結束バンド２３の他端をハンドル２４に巻き付けて開閉を防止したり、図６（ｂ）に示したように、配管２０に設置した開閉弁２１（例えば、閉の状態）のハンドル２４にワンタッチカプラーを使用してその一端を巻き付け、その他端を近傍に設置したボルト２５に巻き付けて開閉を防止したりすることが行われている。
一方、弁が開の状態ではカプラーの取り外しを不可能にし、弁が閉の状態でカプラーの取り外しを可能にした誤操作防止バルブ（特許文献１参照）やハンドルに係合するストッパーに全開時回動阻止部と全閉時回動阻止部とを設けた流体制御器（特許文献２参照）が提案されている。
【特許文献１】特開平１１−１５３２４９号公報
【特許文献２】特開２００２−５３３２号公報
【発明の開示】
【発明が解決しようとする課題】  しかし電気用結束バンドを使用した場合、閉状態から開状態にするためには、バンドを切断する必要があり、再使用は不可能である。ワンタッチカプラーを使用すると切断の必要はないが、樹脂製材料では破断などが起きるとロック不可能になる。したがってこれらの方法では確実性や信頼性に問題があり、前記特許文献記載のものは機構が複雑でありコスト高になるなどの問題があった。
本発明の第１の目的は、ハンドルの偶発的あるいは誤動作による弁開閉を防止するためのロック部材を外側に固定して装着した手動式ボール弁であって、構成が簡単で安価であり、しかも確実にハンドルの偶発的あるいは誤動作による弁開閉を防止できる手動式ボール弁を提供することであり、
本発明の第２の目的は、その手動弁を装着した液体製品充填用容器を提供することであり、
本発明の第３の目的は、その手動弁を装着した製造装置を提供することであり、
本発明の第４の目的は、そのような手動式ボール弁を用いた弁開閉防止方法を提供することにある。
【課題を解決するための手段】  題記課題を解決するための本発明の請求項１記載の手動式ボール弁は、ハンドルの偶発的あるいは誤動作による弁開閉を防止するためのロック部材を外側に固定して装着した回転軸を中心として棒状のハンドルを有する手動式ボール弁であって、
前記ロック部材は、弁外側に固定して装着した固定部と、ヒンジを介して弁から離れるように回転させた後、前記支持部が前記ヒンジに備えたバネの作用によって、回転前の位置に戻る機能を備えた支持部とを有し、ハンドルロック部が前記手動式ボール弁の棒状のハンドルの少なくとも一端を包み込んで両者を組み合わせることができる相似形状を有することを特徴とする。
本発明の請求項２記載の発明は、請求項１記載の手動式ボール弁において、さらに弁外側に固定して装着したチェーン付き固定ピンを備えたことを特徴とする。
本発明の請求項３記載の発明は、請求項１記載の手動式ボール弁において、前記ロック部材を外側に２個固定して装着した手動式ボール弁であって、前記２個のロック部材は、共通の固定部に固定して装着してあり、かつ前記ハンドルロック部が、前記棒状のハンドルのそれぞれ対応する一端を包み込んで用いることを特徴とする。
本発明の請求項４記載の発明は、請求項２あるいは請求項３記載の手動式ボール弁において、前記固定ピンを通して固定するために、前記ハンドルロック部と対応するハンドルの部分に貫通して予めスルーホールが設置されていることを特徴とする。
本発明の請求項５記載の発明は、請求項１から請求項４のいずれかに記載の手動式ボール弁の使用時において、次の操作（１）〜（４）によりハンドルの偶発的あるいは誤動作による弁の開閉を防止することを特徴とする弁開閉防止方法である。
（１）前記ハンドルロック部を先端部に固定した支持部を、ハンドル操作の邪魔にならないようにヒンジを介して弁から離れるように回転させる。
（２）次に、ハンドルを操作して弁を開あるいは閉の状態に設定する。
（３）弁を開あるいは閉の状態に設定した後、前記支持部をヒンジを介して弁の方向に回転させて、前記支持部のハンドルロック部がハンドルの外面上の少なくとも一部を包むように組み合わせてハンドルを固定する。
（４）前記ロック部材を外側に２個固定して装着した手動式弁であって、かつ前記ハンドルが回転軸を中心として棒状のハンドルである場合は、弁を開あるいは閉の状態に設定した後、前記支持部をヒンジを介して弁の方向に回転させて、一方のロック部材のハンドルロック部を前記棒状のハンドルの一端を包み込んでハンドルを固定するか、あるいはさらに同様にして他方のロック部材のハンドルロック部を前記棒状のハンドルの他端を包み込んでハンドルを固定する。
（５）必要に応じて前記チェーン付き固定ピンを、前記ハンドルロック部と対応するハンドルの部分に貫通して予め設置したスルーホールに挿入して固定する。
本発明の請求項６記載の発明は、請求項１から請求項４のいずれかに記載の手動式ボール弁を直接的および／または間接的に装着したことを特徴とする液体製品充填用容器である。
本発明の請求項７記載の発明は、請求項１から請求項４のいずれかに記載の手動式ボール弁を、流動性のある粉体あるいは液体を流通させる配管に装着したことを特徴とする製造装置である。
【発明の効果】  本発明の請求項１記載の手動式ボール弁は、ハンドルの偶発的あるいは誤動作による弁開閉を防止するためのロック部材を外側に固定して装着した回転軸を中心として棒状のハンドルを有する手動式ボール弁であって、
前記ロック部材は、弁外側に固定して装着した固定部と、ヒンジを介して弁から離れるように回転させた後、前記支持部が前記ヒンジに備えたバネの作用によって、回転前の位置に戻る機能を備えた支持部とを有し、ハンドルロック部が前記手動式ボール弁の棒状のハンドルの少なくとも一端を包み込んで両者を組み合わせることができる相似形状を有することを特徴とするものであり、
構成が簡単で安価であり、しかも確実にハンドルの偶発的あるいは誤動作による弁開閉を防止できる上、相似形状を有するので両者を組み合わせて支持し易くなり、さらに確実にハンドルの偶発的あるいは誤動作による弁開閉を防止でき、また前記ハンドルが回転軸を中心として棒状のハンドルであるのでよりさらに確実にハンドルの偶発的あるいは誤動作による弁開閉を防止でき、前記ヒンジを介して弁から離れるように回転させた後、前記支持部が前記ヒンジに備えたバネの作用によって、回転前の位置に戻る機能を備えているので閉時にも開時にも確実にハンドルの偶発的あるいは誤動作による弁開閉を防止でき、そしてボール弁であるので、閉時にも開時にも確実にハンドルの偶発的あるいは誤動作による弁開閉を防止できるという顕著な効果を奏する。
本発明の請求項２記載の発明は、請求項１記載の手動式ボール弁において、さらに弁外側に固定して装着したチェーン付き固定ピンを備えたことを特徴とするものであり、固定ピンを用いてさらに確実にハンドルの偶発的あるいは誤動作による弁開閉を防止できるというさらなる顕著な効果を奏する。
本発明の請求項３記載の発明は、請求項２記載の手動式ボール弁において、前記ロック部材を外側に２個固定して装着した手動式ボール弁であって、前記２個のロック部材は共通の固定部に固定して装着してあり、一方のロック部材のハンドルロック部を前記棒状のハンドルの一端を包み込んで用いるか、あるいはさらに他方のロック部材のハンドルロック部を前記棒状のハンドルの他端を包み込んで用いることを特徴とするものであり、よりさらに確実にハンドルの偶発的あるいは誤動作による弁開閉を防止できるというさらなる顕著な効果を奏する。
本発明の請求項４記載の発明は、請求項２あるいは請求項３記載の手動式ボール弁において、前記固定ピンを通して固定するために、前記ハンドルロック部と対応するハンドルの部分に貫通して予めスルーホールが設置されていることを特徴とするものであり、固定ピンをスルーホールを通して固定するようにすれば、さらに確実にハンドルの偶発的あるいは誤動作による弁開閉を防止できるというさらなる顕著な効果を奏する。
本発明の請求項５記載の発明は、請求項１から請求項４のいずれかに記載の手動式ボール弁の使用時において、前記操作（１）〜（４）によりハンドルの偶発的あるいは誤動作による弁の開閉を防止することを特徴とする弁開閉防止方法であり、構成が簡単で安価である本発明の手動式ボール弁を用いて確実にハンドルの偶発的あるいは誤動作による弁開閉を防止できるという顕著な効果を奏する。
本発明の請求項６記載の発明は、請求項１から請求項４のいずれかに記載の手動式ボール弁を直接的および／または間接的に装着したことを特徴とする液体製品充填用容器であり、構成が簡単で安価である本発明の手動式ボール弁を、液体製品充填用容器に直接的および／または間接的に少なくとも１個装着すれば、特に液体製品充填用容器に充填したり、液体製品を充填した容器の貯蔵時や取り扱い時あるいは輸送時などにおいて、確実にハンドルの偶発的あるいは誤動作による弁開閉を容易に防止できるので、液体製品の偶発的流出や偶発的充填停止などを防止しでき、安全に確実に前記作業を行うことができるという顕著な効果を奏する。
本発明の請求項７記載の発明は、請求項１から請求項４のいずれかに記載の手動式ボール弁を、流動性のある粉体あるいは液体を流通させる配管に装着したことを特徴とする製造装置であり、構成が簡単で安価である本発明の手動式ボール弁を、流動性のある粉体あるいは液体を流通させる製造装置の配管に少なくとも１個装着すれば、確実にハンドルの偶発的あるいは誤動作による弁開閉を容易に防止できるので、流動性のある粉体あるいは液体の移送や移送停止を確実に行うことができ、安全に確実に製造を行うことができるという顕著な効果を奏する。
【図面の簡単な説明】  図１（ａ）〜（ｄ）は、本発明の手動式ボール弁の一実施形態を説明する説明図である。
図２（ａ）〜（ｄ）は、手動式ボール弁の一参考例を説明する説明図である。
図３（ａ）〜（ｄ）は、本発明の手動式ボール弁の他の実施形態を説明する説明図である。
図４（ａ）〜（ｄ）は、手動式ボール弁の他の参考例を説明する説明図である。
図５（ａ）〜（ｄ）は、本発明の手動式ボール弁の他の実施形態を説明する説明図である。
図６（ａ）〜（ｂ）は、従来の誤操作防止弁を説明する説明図である。
図７は本発明の製造装置の一実施形態を説明する説明図である。
図８は本発明の液体製品充填用容器の一実施形態を説明する説明図である。
【符号の説明】  １Ａ、１Ｂ、１Ｃ、１Ｄ、１Ｅ、Ｖ１〜Ｖ１４  手動式ボール弁
２Ａ、２Ｂ、２Ｃ、２Ｄ、２Ｅ、２Ｅ’、２Ｆ  ロック部材
Ｌ１〜Ｌ１２  配管
３  固定部
４  金属製バンド
５  調節具
６、６’支持部
７、７’ヒンジ
８、８’ハンドルロック部
９  ハンドル
１０  チェーン付き固定ピン
１１、１２  小孔
２０  配管
２６  回転軸
３０  本発明の液体製品充填用容器
３１  排出部
３２  フランジ
３３  配管
３４  ストッパーで
３５  チェーン
３６  容器本体
４０  本発明の製造装置
４１  段ボール函
４２  コンベア
４３  包装された製品
４４  パレット
ＴＡ  原料Ａの貯蔵タンク
ＴＢ  原料Ｂの貯蔵タンク
Ｒ  反応装置
ＴＣ  製品貯蔵タンク
Ｓ  撹拌器
【発明を実施するための最良の形態】  次に本発明の内容を詳細に説明する。
（第１の実施態様）
図１（ａ）〜（ｄ）において、本発明の手動式ボール弁１Ａは、配管２０に設置され、ロック部材２Ａを手動式ボール弁１Ａの外側に固定して装着して構成されている。そしてロック部材２Ａは、固定部３を備えている。
４は固定部３を手動式ボール弁１Ａの外側に固定して装着するための金属製バンドであり、５は金属製バンド４を締め付けて固定するための調節具である。
６は支持部であり、ヒンジ７を介して固定部３に連結されており、支持部６はヒンジ７を介して回転可能になっている。そして支持部６の先端部にハンドルロック部８が固定して設置してある。
ハンドルロック部８はコの字の形状に形成されており、使用時にはハンドル９の一端の外面上の一部を包み込んで両者を組み合わせることができる相似形状を有している。
１０は前記支持部６の外側に固定して装着したチェーン付き固定ピンであり、１１はハンドルロック部８の所定の箇所に設けた小孔、１２はハンドル９の所定の箇所に設けた小孔であり、ハンドルロック部８をハンドル９の一端に挿入して両者を組み合わせた後、固定ピン１０を小孔１１、１２に挿入して装着して両者を支持固定する。
本発明の手動式ボール弁１Ａを使用して弁開閉防止方法を次に説明する。
（１）まず、ハンドルロック部８を先端部に固定した支持部６を、ハンドル９の操作の邪魔にならないようにヒンジ７を介して手動式弁１Ａから外側に離れるように回転させる。
（２）次に、ハンドル９を操作して図１（ａ）、（ｂ）に示したように弁１Ａを閉の状態に設定する。
（３）弁１Ａを閉の状態に設定した後、支持部６をヒンジ７を介して弁１Ａの方向に回転させて、図１（ａ）に示したように支持部６のハンドルロック部８がハンドル９の外面上の少なくとも一部を包むように組み合わせてハンドル９を固定する。
ヒンジ７に図示しないバネを設置しておき、支持部６を、ヒンジ７を介して弁１Ａから離れるように回転させた後、支持部６をヒンジ７に備えた図示しないバネの作用によって、回転前の位置に戻し、支持部６のハンドルロック部８がハンドル９の外面上の少なくとも一部を包むように組み合わせてハンドル９を固定するようにすることもできる。
（４）図１（ａ）、（ｂ）に示したようにチェーン付き固定ピン１０を、ハンドルロック部８と対応するハンドル９の部分に貫通して予め設置した小孔１１、１２（スルーホール）に挿入して固定する。
前記のようにして確実にハンドル９の偶発的あるいは誤動作による弁開閉を防止できる。
前記操作（２）において、ハンドル９を操作して図１（ｃ）、（ｄ）に示したように弁１Ａを開の状態に設定した後、前記操作（３）において支持部６をヒンジ７を介して弁１Ａの方向に回転させて元の位置に戻すことにより、ハンドル９を操作しようとしても、ハンドル９や手などがハンドルロック部８に当たるのでハンドル９の操作ができない。このようにしてハンドル９の偶発的あるいは誤動作による弁開閉を防止できる。
（第１の参考例）
第１の参考例の手動式ボール弁１Ｂを次に説明する。
図２（ａ）〜（ｄ）において、手動式ボール弁１Ｂは、配管２０に設置され、ロック部材２Ｂを手動式ボール弁１Ｂの外側に固定して装着して構成されている。そしてロック部材２Ｂは、固定部３を備えている。
４は固定部３を手動式ボール弁１Ｂの外側に固定して装着するための金属製バンドであり、５は金属製バンド４を締め付けて固定するための調節具である。
６は支持部であり、ヒンジ７を介して固定部３に連結されており、支持部６はヒンジ７を介して回転可能になっている。そして支持部６の先端部にハンドルロック部８が固定して設置してある。
ハンドルロック部８は、支持部６の先端部をＬ字の形状に曲げて形成されており、使用時にはハンドル９の上面を覆って両者を組み合わせることができる形状を有している。
１０は前記支持部６の外側に固定して装着したチェーン付き固定ピンであり、１１はハンドルロック部８の所定の箇所に設けた小孔、１２はハンドル９の所定の箇所に設けた小孔であり、ハンドルロック部８をハンドル９の上面を覆って両者を組み合わせた後、固定ピン１０を小孔１１、１２に挿入して装着して両者を支持固定する。
手動式ボール弁１Ｂを使用して弁開閉防止方法を次に説明する。
（１）まず、ハンドルロック部８を先端部に固定した支持部６を、ハンドル９の操作の邪魔にならないようにヒンジ７を介して手動式ボール弁１Ｂから外側に離れるように回転させる。
（２）次に、ハンドル９を操作して図２（ａ）〜（ｄ）に示したように弁１Ｂを閉の状態に設定する。
（３）弁１Ｂを閉の状態に設定した後、支持部６をヒンジ７を介して弁１Ｂの方向に回転させて、図２（ａ）〜（ｂ）に示したように支持部６のハンドルロック部８がハンドル９の上面を覆って両者を組み合わせてハンドル９を固定する。
ヒンジ７に図示しないバネを設置しておき、支持部６をヒンジ７を介して弁１Ａから離れるように回転させた後、支持部６をヒンジ７に備えた図示しないバネの作用によって、回転前の位置に戻し、支持部６のハンドルロック部８がハンドル９の上面を覆って両者を組み合わせてハンドル９を固定することもできる。
（４）図２（ａ）、（ｂ）に示したように、チェーン付き固定ピン１０を、ハンドルロック部８と対応するハンドル９の部分に貫通して予め設置した小孔１１、１２（スルーホール）に挿入して固定する。
前記のようにして確実にハンドル９の偶発的あるいは誤動作による弁開閉を防止できる。
（第２の実施態様）
本発明の他の手動式ボール弁１Ｃを次に説明する。
図３（ａ）〜（ｄ）において、本発明の手動式ボール弁１Ｃは、配管２０に設置され、ロック部材２Ｃを手動式ボール弁１Ｃの外側に固定して装着して構成されている。そしてロック部材２Ｃは、固定部３を備えている。
４は固定部３を手動式ボール弁１Ｃの外側に固定して装着するための金属製バンドであり、５は金属製バンド４を締め付けて固定するための調節具である。
６は支持部であり、ヒンジ７を介して固定部３に連結されており、支持部６はヒンジ７を介して回転可能になっている。そして支持部６の先端部にハンドルロック部８が固定して設置してある。
ハンドルロック部８はコの字の形状に形成されており、使用時にはハンドル９の一端の外面上の一部を包み込んで両者を組み合わせることができる相似形状を有している。
本発明の手動式ボール弁１Ｃを使用して弁開閉防止方法を次に説明する。
（１）まず、ハンドルロック部８を先端部に固定した支持部６を、ハンドル９の操作の邪魔にならないようにヒンジ７を介して手動式ボール弁１Ｃから外側に離れるように回転させる。
（２）次に、ハンドル９を操作して図３（ａ）、（ｂ）に示したように弁１Ｃを閉の状態に設定する。
（３）弁１Ｃを閉の状態に設定した後、支持部６をヒンジ７を介して弁１Ｃの方向に回転させて、図３（ａ）、（ｂ）に示したように支持部６のハンドルロック部８がハンドル９の外面上の少なくとも一部を包むように組み合わせてハンドル９を固定する。
ヒンジ７に図示しないバネを設置しておき、支持部６を、ヒンジ７を介して弁１Ｃから離れるように回転させた後、支持部６をヒンジ７に備えた図示しないバネの作用によって、回転前の位置に戻し、支持部６のハンドルロック部８がハンドル９の外面上の少なくとも一部を包むように組み合わせてハンドル９を固定するようにすることもできる。
前記のようにして確実にハンドル９の偶発的あるいは誤動作による弁開閉を防止できる。
前記操作（２）において、ハンドル９を操作して図１（ｃ）、（ｄ）に示したように弁１Ｃを開の状態に設定した後、前記操作（３）において支持部６をヒンジ７を介して弁１Ｃの方向に回転させて元の位置に戻すことにより、ハンドル９を操作しようとしても、ハンドル９や手などがハンドルロック部８に当たるのでハンドル９の操作ができない。このようにしてハンドル９の偶発的あるいは誤動作による弁開閉を防止できる。
（第２の参考例）
手動式ボール弁１Ｄを次に説明する。
図４（ａ）〜（ｄ）において、手動式ボール弁１Ｄは、配管２０に設置され、ロック部材２Ｄを手動式ボール弁１Ｄの外側に固定して装着して構成されている。そしてロック部材２Ｄは、固定部３を備えている。
４は固定部３を手動式ボール弁１Ｄの外側に固定して装着するための金属製バンドであり、５は金属製バンド４を締め付けて固定するための調節具である。
６は支持部であり、ヒンジ７を介して固定部３に連結されており、支持部６はヒンジ７を介して回転可能になっている。そして支持部６の先端部に回転可能にハンドルロック部８が設置してある。
支持部６の先端部に回転可能に設置されたハンドルロック部８は、太い丸棒や平角棒や太い針金などで略四角の中空の形状に形成されており、使用時にはハンドル９の外周を包み込んで両者を組み合わせることができる相似形状を有している。
本発明の手動式ボール弁１Ｄを使用して弁開閉防止方法を次に説明する。
（１）まず、ハンドルロック部８を先端部に固定した支持部６を、ハンドル９の操作の邪魔にならないようにヒンジ７を介して手動式弁１Ｄから外側に離れるように回転させる。
（２）次に、ハンドル９を操作して図４（ａ）〜（ｂ）に示したように弁１Ｄを閉の状態に設定する。
（３）弁１Ｄを閉の状態に設定した後、支持部６をヒンジ７を介して弁１Ｄの方向に回転させて、支持部６のハンドルロック部８の回転も行って、ハンドルロック部８がハンドル９の外周を包み込んで両者を組み合わせてハンドル９を固定する。
ヒンジ７に図示しないバネを設置しておき、支持部６を、ヒンジ７を介して弁１Ｃから離れるように回転させた後、支持部６をヒンジ７に備えた図示しないバネの作用によって、回転前の位置に戻し、ハンドルロック部８の回転も行って、ハンドルロック部８がハンドル９の外周を包み込んで両者を組み合わせてハンドル９を固定するようにすることもできる。
前記のようにして確実にハンドル９の偶発的あるいは誤動作による弁開閉を防止できる。
前記操作（２）において、ハンドル９を操作して図４（ｃ）、（ｄ）に示したように弁１Ｄを開の状態に設定した後、前記操作（３）において支持部６をヒンジ７を介して弁１Ｄの方向に回転させて元の位置に戻すことにより、ハンドル９を操作しようとしても、ハンドル９や手などがハンドルロック部８に当たるのでハンドル９の操作ができない。このようにしてハンドル９の偶発的あるいは誤動作による弁開閉を防止できる。
（第３の実施態様）
図５（ａ）〜（ｄ）を用いて本発明の他の手動式ボール弁１Ｅを次に説明する。
すなわちロック部材を外側に２個（２Ｅ、２Ｅ’）固定して装着した手動式弁１Ｅであって、前記２個のロック部材（２Ｅ、２Ｅ’）は共通の固定部３に固定して装着してあり、かつハンドル９が回転軸２６を中心として棒状のハンドルである場合について説明する。
図５（ａ）〜（ｄ）において、本発明の手動式ボール弁１Ｅは、配管２０に設置され、ロック部材２Ｅ、２Ｅ’を手動式ボール弁１Ｅの外側に固定して２個装着して構成されている。そしてロック部材２Ｅ、２Ｅ’は、固定部３を備えている。前記２個のロック部材２Ｅ、２Ｅ’は共通の固定部３に固定して装着してある。
４は固定部３を手動式ボール弁１Ｅの外側に固定して装着するための金属製バンドであり、５は金属製バンド４を締め付けて固定するための調節具である。
６、６’は支持部であり、ヒンジ７、７’を介して共通の固定部３に連結されており、支持部６、６’はヒンジ７、７’を介して回転可能になっている。そして支持部６、６’の先端部にハンドルロック部８、８’が固定して設置してある。
ハンドルロック部８、８’はコの字の形状に形成されており、使用時にハンドル９のそれぞれの一端の外面上の一部を包み込んで両者を組み合わせることができる相似形状を有している。
本発明の手動式ボール弁１Ｅを使用して弁開閉防止方法を次に説明する。
（１）まず、ハンドルロック部８、８’を先端部に固定した支持部６、６’を、ハンドル９の操作の邪魔にならないようにヒンジ７、７’を介して手動式ボール弁１Ｅから外側に離れるように回転させる。
（２）次に、ハンドル９を操作して図５（ａ）〜（ｂ）に示したように弁１Ｅを閉の状態に設定する。
（３）弁１Ｅを閉の状態に設定した後、支持部６、６’をヒンジ７、７’を介して弁１Ｅの方向に回転させて、図５（ｂ）に示したように支持部６、６’のハンドルロック部８、８’がハンドル９のそれぞれの一端の外面上の少なくとも一部を包み込むように組み合わせてハンドル９を固定する。
ヒンジ７に図示しないバネを設置しておき、支持部６、６’を、ヒンジ７、７’を介して弁１Ｅから離れるように回転させた後、支持部６、６’をヒンジ７、７’に備えた図示しないバネの作用によって、回転前の位置に戻し、ハンドルロック部８、８’がハンドル９の外周の少なくとも一部を包み込むように組み合わせてハンドル９を固定するようにすることもできる。
前記のようにして確実にハンドル９の偶発的あるいは誤動作による弁開閉を防止できる。
上記実施の形態の説明は、本発明を説明するためのものであって、特許請求の範囲に記載の発明を限定し、或は範囲を減縮するものではない。又、本発明の各部構成は上記実施の形態に限らず、特許請求の範囲に記載の技術的範囲内で種々の変形が可能である。
（１）前記第１〜３の実施形態および第１〜２の参考例においては、ハンドル９は直線的棒状のものを示したが、ハンドル９の形状は特に限定されるものではなく、丸型、三角、四角などいずれでも差し支えない。
（２）前記第１〜３の実施形態および第１〜２の参考例においては、主として手動式ボール弁を閉にした場合について説明したが、勿論、本発明においては手動式ボール弁を開にした場合についても適用可能である。
（３）本発明においては、新品の手動式ボール弁にロック部材を取り付けるだけでなく、配管などに組み込んである現在使用中の手動式ボール弁にロック部材を取り付け、使用中の手動式ボール弁を改造することも可能である。
（４）ロック部材は、金属製、樹脂製あるいはこれらの組合わせでもよく、強度および機能を満足するものであれば材質は特に限定されるものではない。
（５）ロック部材を取り付ける弁の種類は、ボール弁あるいはバタフライ弁など可能であるが、ボール弁であることが最も好ましい。またボール弁という形式を備えていれば、外形はどのような形の弁でも本発明のロック部材を取り付けることが可能であり、本発明の範囲に含まれる。
（本発明の製造装置の一実施形態）
図７は本発明の製造装置の一実施形態を説明する説明図である。
図７を用いて本発明の製造装置４０を説明する。
本発明の製造装置４０は原料Ａの貯蔵タンクＴＡに貯蔵した原料Ａを反応装置Ｒへ移送し、原料Ｂの貯蔵タンクＴＢに貯蔵した原料Ｂを反応装置Ｒへ移送して反応装置Ｒ中で原料Ａと原料Ｂを反応させて製品を製造し、製品貯蔵タンクＴＣに貯蔵するようになっている。製品貯蔵タンクＴＣに貯蔵した製品は包装されて出荷するように構成されている。
図７中のＶ１〜Ｖ１３は本発明の手動式ボール弁、Ｌ１〜Ｌ１２は配管、ＭＶは電磁弁、Ｐはポンプ、４１は段ボール函、４２はコンベア、４３は包装された製品、４４はパレットを示す。
すなわち、原料Ａを本発明の手動式ボール弁Ｖ１を開けて受入れ配管Ｌ１を経て配管Ｌ２を経て貯蔵タンクＴＡに貯蔵し、原料Ｂを本発明の手動式ボール弁Ｖ６を開けて受入れ配管Ｌ６を経て配管Ｌ７を経て貯蔵タンクＴＢに貯蔵する。
貯蔵タンクＴＡ、ＴＢに貯蔵した原料Ａ、Ｂを本発明の手動式ボール弁Ｖ２、Ｖ７を開けてそれぞれのポンプＰを作動して配管Ｌ３、Ｌ８を経て移送し、そしてドレン弁である本発明の手動式ボール弁Ｖ３、Ｖ８は閉めておき、本発明の手動式ボール弁Ｖ４、Ｖ９を開け、バイパス用の弁である本発明の手動式ボール弁Ｖ５、Ｖ１０は閉めておき、電磁弁ＭＶを開けて、配管Ｌ５、Ｌ１０を経て原料Ａ、Ｂを所定量、反応装置Ｒへ移送する。
そして反応装置Ｒ中で原料Ａと原料Ｂを攪拌器Ｓで攪拌して所定圧力・温度で所定時間、反応させて製品を製造する。反応が終了したら、ドレン弁である本発明の手動式ボール弁Ｖ１１は閉めておき、反応装置Ｒの底部に設置した電磁弁ＭＶを開けて、ポンプＰを作動して、本発明の手動式ボール弁Ｖ１２を開け、バイパス用の弁である本発明の手動式ボール弁Ｖ１３は閉めておき、電磁弁ＭＶを開けて、配管Ｌ１１、Ｌ１２を経て製品を、電磁弁ＭＶを開けて、製品貯蔵タンクＴＣに貯蔵する。
製品貯蔵タンクＴＣに貯蔵した製品はプラスチック製の内袋を有する段ボール函４１に充填され密封されて、コンベア４２により移送され、製品を密封包装した段ボール函４３はパレット４４上に載置され、貯蔵、輸送、出荷されるようになっている。
前記のように流動性のある粉体あるいは液体を流通させる配管に装着した本発明の手動式ボール弁Ｖ１〜Ｖ１３は、ハンドルの偶発的あるいは誤動作による弁開閉を防止するためのロック部材を外側に固定して装着したので、確実にハンドルの偶発的あるいは誤動作による弁開閉を防止できる。
本発明の製造装置は、具体的には、例えば、本発明の手動式ボール弁を、セメント、クレイ、ベントナイトなどの無機粉体、あるいは小麦粉などの有機粉体、塗料、高分子ラテックス製品、石油化学製品、食品のアルコール飲料、スープ類、醤油類など、液状の化学薬品など流動性のある粉体あるいは液体を流通させる化学プラントなどの配管に装着した製造装置を挙げることができる。
（本発明の液体製品充填用容器の一実施形態）
図８は本発明の液体製品充填用容器の一実施形態を説明する説明図である。
図８を用いて本発明の液体製品充填用容器（以下、容器と称す場合がある）３０を説明する。
本発明の容器３０は、容器本体３６の底部に本発明の手動式ボール弁Ｖ１４が装着されている。本発明の容器３０の上部には液体製品を容器本体３６中に供給する図示しない供給手段があり、図示しない供給手段を用いて液体製品を容器本体３６中に充填する。
本発明の容器３０の底部には容器本体３６中に充填した液体製品の排出部３１が容器本体３６と一体的に設けられており、そして排出部３１の端部には本発明の手動式ボール弁Ｖ１４を備えた配管３３がフランジ３２を介して接続されている。
３４は配管３３の端部を閉めるために設けて着脱可能なストッパーであり、３５はストッパー３４を係止するチェーンを示す。
図中２Ｆはロック部材、３は固定部、４は金属バンド、５は調節具、６は支持部、８はハンドルロック部、９はハンドルを示す。これらの機能、作用・効果などは前述の通りであるので、説明を省略する。
本発明の容器３０の容器本体３６中に供給する際は図示しない供給手段を用いて液体製品を容器本体３６中に充填する。容器本体３６中に液体製品を充填した本発明の容器３０は本発明の手動式ボール弁Ｖ１４を閉めた状態で、ストッパー３４を装着して、貯蔵、保存、移送、輸送などを行うことができる。
本発明の容器３０の容器本体３６中の液体製品を取り出す際には、ストッパー３４を脱着し、適当な配管、チューブなどを配管３３の端部に付けるか、あるいは付けずに、本発明の手動式ボール弁Ｖ１４を開けて、所定量の液体製品を取り出すことができる。
本発明の容器３０の容器本体３６中に液体製品を充填したり、液体製品を充填した容器の貯蔵時や取り扱い時あるいは輸送時などにおいて、確実にハンドル９の偶発的あるいは誤動作による弁開閉を容易に防止できるので、液体製品の偶発的流出や偶発的充填停止などを防止しでき、安全に確実に前記作業を行うことができる。
本発明の容器は、具体的には、例えば、液状化学薬品を充填するためのコンテナーなど、液体製品の運送用容器に本発明の手動式ボール弁を装着したものであり、コンテナーが運送されるに際し、種々の衝撃あるいは物体の衝突などによって誤作動して、弁が「開」の状態になることを防止できる。
【産業上の利用可能性】  本発明の手動式ボール弁は、ハンドルの偶発的あるいは誤動作による弁開閉を防止するためのロック部材を外側に固定して装着した回転軸を中心として棒状のハンドルを有する手動式ボール弁であって、
前記ロック部材は、弁外側に固定して装着した固定部と、ヒンジを介して弁から離れるように回転させた後、前記支持部が前記ヒンジに備えたバネの作用によって、回転前の位置に戻る機能を備えた支持部とを有し、ハンドルロック部が前記手動式ボール弁の棒状のハンドルの少なくとも一端を包み込んで両者を組み合わせることができる相似形状を有することを特徴とするものであり、
構成が簡単で安価であり、しかも確実にハンドルの偶発的あるいは誤動作による弁開閉を防止できる上、相似形状を有するので両者を組み合わせて支持し易くなり、さらに確実にハンドルの偶発的あるいは誤動作による弁開閉を防止でき、また前記ハンドルが回転軸を中心として棒状のハンドルであるのでよりさらに確実にハンドルの偶発的あるいは誤動作による弁開閉を防止でき、前記ヒンジを介して弁から離れるように回転させた後、前記支持部が前記ヒンジに備えたバネの作用によって、回転前の位置に戻る機能を備えているので閉時にも開時にも確実にハンドルの偶発的あるいは誤動作による弁開閉を防止でき、そしてボール弁であるので、閉時にも開時にも確実にハンドルの偶発的あるいは誤動作による弁開閉を防止できるという顕著な効果を奏するので、産業上の利用価値は甚だ大きい。
【手続補正２】
【補正対象書類名】特許請求の範囲
【補正対象項目名】全文
【補正方法】変更
【補正の内容】
【特許請求の範囲】
【請求項１】
ハンドルの偶発的あるいは誤動作による弁開閉を防止するためのロック部材を外側に固定して装着した回転軸を中心として棒状のハンドルを有する手動式ボール弁であって、前記ロック部材は、弁外側に固定して装着した固定部と、ヒンジを介して弁から離れるように回転させた後、前記支持部が前記ヒンジに備えたバネの作用によって、回転前の位置に戻る機能を備えた支持部とを有し、ハンドルロック部が前記手動式ボール弁の棒状のハンドルの少なくとも一端を包み込んで両者を組み合わせることができる相似形状を有することを特徴とする手動式ボール弁。
【請求項２】
さらに弁外側に固定して装着したチェーン付き固定ピンを備えたことを特徴とする請求項１記載の手動式ボール弁。
【請求項３】
前記ロック部材を外側に２個固定して装着した手動式ボール弁であって、前記２個のロック部材は、共通の固定部に固定して装着してあり、前記ロック部材のハンドルロック部が、前記棒状のハンドルのそれぞれ対応する一端を包み込んで用いることを特徴とする請求項２記載の手動式ボール弁。
【請求項４】
前記固定ピンを通して固定するために、前記ハンドルロック部と対応するハンドルの部分に貫通して予めスルーホールが設置されていることを特徴とする請求項２あるいは請求項３記載の手動式ボール弁。
【請求項５】
請求項１から請求項４のいずれかに記載の手動式ボール弁の使用時において、次の操作（１）〜（４）によりハンドルの偶発的あるいは誤動作による弁の開閉を防止することを特徴とする弁開閉防止方法。
（１）前記ハンドルロック部を先端部に固定した支持部を、ハンドル操作の邪魔にならないようにヒンジを介して弁から離れるように回転させる。
（２）次に、ハンドルを操作して弁を開あるいは閉の状態に設定する。
（３）弁を開あるいは閉の状態に設定した後、前記支持部をヒンジを介して弁の方向に回転させて、前記支持部のハンドルロック部がハンドルの外面上の少なくとも一部を包むように組み合わせてハンドルを固定する。
（４）前記ロック部材を外側に２個固定して装着した手動式弁であって、かつ前記ハンドルが回転軸を中心として棒状のハンドルである場合は、弁を開あるいは閉の状態に設定した後、前記支持部をヒンジを介して弁の方向に回転させて、一方のロック部材のハンドルロック部を前記棒状のハンドルの一端を包み込んでハンドルを固定するか、あるいはさらに同様にして他方のロック部材のハンドルロック部を前記棒状のハンドルの他端を包み込んでハンドルを固定する。
（５）必要に応じて前記チェーン付き固定ピンを、前記ハンドルロック部と対応するハンドルの部分に貫通して予め設置したスルーホールに挿入して固定する。
【請求項６】
請求項１から請求項４のいずれかに記載の手動式ボール弁を直接的および／または間接的に装着したことを特徴とする液体製品充填用容器。
【請求項７】
請求項１から請求項４のいずれかに記載の手動式ボール弁を、流動性のある粉体あるいは液体を流通させる配管に装着したことを特徴とする製造装置。
【手続補正書】
【提出日】平成22年10月5日(2010.10.5)
【手続補正１】
【補正対象書類名】特許請求の範囲
【補正対象項目名】全文
【補正方法】変更
【補正の内容】
【特許請求の範囲】
【請求項１】
ハンドルの偶発的あるいは誤動作による弁開閉を防止するための回転軸を中心として棒状のハンドルを有する手動式ボール弁に装着するためのロック部材であって、前記ロック部材は、弁外側に固定して装着した固定部と、ヒンジを介して弁から離れるように回転させた後、支持部が前記ヒンジに備えたバネの作用によって、回転前の位置に戻る機能を備えた支持部とを有し、ハンドルロック部が前記手動式ボール弁の棒状のハンドルの少なくとも一つの長辺末端を包み込んで、前記ハンドルロック部の棒状のハンドルの長辺末端を組み合わせることができる相似形状を有することを特徴とする手動式ボール弁用ロック部材。
【請求項２】
前記手動式ボール弁用ロック部材が、棒状のハンドルの長辺両末端を包み込むため二つのハンドルロック部を有することを特徴とする請求項１記載の手動式ボール弁用ロック部材。
【請求項３】
前記ロック部材が、液体製品充填用容器に取り付ける手動式ボール弁用ロック部材であることを特徴とする請求項１あるいは請求項２記載の手動式ボール弁用ロック部材。
【手続補正２】
【補正対象書類名】明細書
【補正対象項目名】全文
【補正方法】変更
【補正の内容】
【発明の詳細な説明】
【技術分野】
【０００１】
本発明は手動式ボール弁用ロック部材に関するものであり、更に詳細には、ハンドルの偶発的あるいは誤動作による弁開閉を防止するためのロック部材を外側に固定して装着した手動式ボール弁用ロック部材に関するものである。
【背景技術】
【０００２】
開閉弁は、固体、液体、気体あるいはこれらの混合物を輸送するコンテナや配管などに組み込み、輸送を止めたり、輸送を行ったりするために、水道の蛇口に設置されているようなハンドルを回転させて弁の開閉が行われる。ボール弁やコックバルブなどの開閉弁は、構造が簡単で気密性が高く、ハンドルの回転で開閉が迅速に行われるために広く用いられている。
しかし、日常の作業で人や物によって過ってハンドルが回転してしまう場合がある。するとコンテナの場合は内容物が漏洩してしまい、配管途中のバルブでは流動物が遮断され、化学装置の場合には目的物を製造できなくなったり、あるいは重大な事故に繋る危険もある。
【０００３】
そのため、例えば、図６（ａ）に示したように、配管２０に設置した開閉弁２１（例えば、閉の状態）の外側に巻き付けて固定した固定具２２に電気用結束バンド２３の一端を巻き付け、電気用結束バンド２３の他端をハンドル２４に巻き付けて開閉を防止したり、図６（ｂ）に示したように、配管２０に設置した開閉弁２１（例えば、閉の状態）のハンドル２４にワンタッチカプラーを使用してその一端を巻き付け、その他端を近傍に設置したボルト２５に巻き付けて開閉を防止したりすることが行われている。
【０００４】
一方、弁が開の状態ではカプラーの取り外しを不可能にし、弁が閉の状態でカプラーの取り外しを可能にした誤操作防止バルブ（特許文献１参照）やハンドルに係合するストッパーに全開時回動阻止部と全閉時回動阻止部とを設けた流体制御器（特許文献２参照）が提案されている。
【先行技術文献】
【特許文献】
【０００５】
【特許文献１】特開平１１−１５３２４９号公報
【特許文献２】特開２００２−５３３２号公報
【発明の開示】
【発明が解決しようとする課題】
【０００６】
しかし電気用結束バンドを使用した場合、閉状態から開状態にするためには、バンドを切断する必要があり、再使用は不可能である。ワンタッチカプラーを使用すると切断の必要はないが、樹脂製材料では破断などが起きるとロック不可能になる。したがってこれらの方法では確実性や信頼性に問題があり、前記特許文献記載のものは機構が複雑でありコスト高になるなどの問題があった。
本発明の第１の目的は、ハンドルの偶発的あるいは誤動作による弁開閉を防止するためのロック部材を外側に固定して装着した手動式ボール弁用ロック部材であって、構成が簡単で安価であり、しかも確実にハンドルの偶発的あるいは誤動作による弁開閉を防止できる手動式ボール弁用ロック部材を提供することである。
【課題を解決するための手段】
【０００７】
題記課題を解決するための本発明の請求項１記載の手動式ボール弁用ロック部材は、ハンドルの偶発的あるいは誤動作による弁開閉を防止するための回転軸を中心として棒状のハンドルを有する手動式ボール弁に装着するためのロック部材であって、前記ロック部材は、弁外側に固定して装着した固定部と、ヒンジを介して弁から離れるように回転させた後、支持部が前記ヒンジに備えたバネの作用によって、回転前の位置に戻る機能を備えた支持部とを有し、ハンドルロック部が前記手動式ボール弁の棒状のハンドルの少なくとも一つの長辺末端を包み込んで、前記ハンドルロック部の棒状のハンドルの長辺末端を組み合わせることができる相似形状を有することを特徴とする。
【０００８】
本発明の請求項２記載の発明は、請求項1記載の手動式ボール弁用ロック部材において、前記手動式ボール弁用ロック部材が、棒状のハンドルの長辺両末端を包み込むため二つのハンドルロック部を有することを特徴とする。
【０００９】
本発明の請求項３記載の発明は、請求項1あるいは請求項２記載の手動式ボール弁用ロック部材において、前記ロック部材が、液体製品充填用容器に取り付ける手動式ボール弁用ロック部材であることを特徴とする。
【発明の効果】
【００１０】
本発明の請求項１記載の手動式ボール弁用ロック部材は、ハンドルの偶発的あるいは誤動作による弁開閉を防止するための回転軸を中心として棒状のハンドルを有する手動式ボール弁に装着するためのロック部材であって、前記ロック部材は、弁外側に固定して装着した固定部と、ヒンジを介して弁から離れるように回転させた後、支持部が前記ヒンジに備えたバネの作用によって、回転前の位置に戻る機能を備えた支持部とを有し、ハンドルロック部が前記手動式ボール弁の棒状のハンドルの少なくとも一つの長辺末端を包み込んで、前記ハンドルロック部の棒状のハンドルの長辺末端を組み合わせることができる相似形状を有することを特徴とするものであり、
構成が簡単で安価であり、しかも確実にハンドルの偶発的あるいは誤動作による弁開閉を防止できる上、相似形状を有するので両者を組み合わせて支持し易くなり、さらに確実にハンドルの偶発的あるいは誤動作による弁開閉を防止でき、また前記ハンドルが回転軸を中心として棒状のハンドルであるのでよりさらに確実にハンドルの偶発的あるいは誤動作による弁開閉を防止でき、前記ヒンジを介して弁から離れるように回転させた後、前記支持部が前記ヒンジに備えたバネの作用によって、回転前の位置に戻る機能を備えているので閉時にも開時にも確実にハンドルの偶発的あるいは誤動作による弁開閉を防止でき、そしてボール弁であるので、閉時にも開時にも確実にハンドルの偶発的あるいは誤動作による弁開閉を防止できるという顕著な効果を奏する。
【００１１】
本発明の請求項２記載の発明は、請求項1記載の手動式ボール弁用ロック部材において、前記手動式ボール弁用ロック部材が、棒状のハンドルの長辺両末端を包み込むため二つのハンドルロック部を有することを特徴とするものであり、さらに確実にハンドルの偶発的あるいは誤動作による弁開閉を防止できるというさらなる顕著な効果を奏する。
【００１２】
本発明の請求項３記載の発明は、請求項1あるいは請求項２記載の手動式ボール弁用ロック部材において、前記ロック部材が、液体製品充填用容器に取り付ける手動式ボール弁用ロック部材であることを特徴とするものであり、液体製品充填用容器に充填したり、液体製品を充填した容器の貯蔵時や取り扱い時あるいは輸送時などにおいて、確実にハンドルの偶発的あるいは誤動作による弁開閉を容易に防止できるので、液体製品の偶発的流出や偶発的充填停止などを防止しでき、安全に確実に前記作業を行うことができるというさらなる顕著な効果を奏する。
【図面の簡単な説明】
【００１３】
【図１】（ａ）〜（ｄ）は、本発明の手動式ボール弁用ロック部材の一実施形態を説明する説明図である。
【図２】（ａ）〜（ｄ）は、手動式ボール弁の一参考例を説明する説明図である。
【図３】（ａ）〜（ｄ）は、本発明の手動式ボール弁用ロック部材の他の実施形態を説明する説明図である。
【図４】（ａ）〜（ｄ）は、手動式ボール弁の他の参考例を説明する説明図である。
【図５】（ａ）〜（ｄ）は、本発明の手動式ボール弁用ロック部材の他の実施形態を説明する説明図である。
【図６】（ａ）〜（ｂ）は、従来の誤操作防止弁を説明する説明図である。
【図７】製造装置の一実施形態を説明する説明図である。
【図８】液体製品充填用容器の一実施形態を説明する説明図である。
【発明を実施するための形態】
【００１４】
次に本発明の内容を詳細に説明する。
（第１の実施態様）
図１（ａ）〜（ｄ）において、手動式ボール弁１Ａは、配管２０に設置され、本発明のロック部材２Ａを手動式ボール弁１Ａの外側に固定して装着して構成されている。そしてロック部材２Ａは、固定部３を備えている。
４は固定部３を手動式ボール弁１Ａの外側に固定して装着するための金属製バンドであり、５は金属製バンド４を締め付けて固定するための調節具である。
６は支持部であり、ヒンジ７を介して固定部３に連結されており、支持部６はヒンジ７を介して回転可能になっている。そして支持部６の先端部にハンドルロック部８が固定して設置してある。
ハンドルロック部８はコの字の形状に形成されており、使用時にはハンドル９の一端の外面上の一部を包み込んで両者を組み合わせることができる相似形状を有している。
１０は前記支持部６の外側に固定して装着したチェーン付き固定ピンであり、１１はハンドルロック部８の所定の箇所に設けた小孔、１２はハンドル９の所定の箇所に設けた小孔であり、ハンドルロック部８をハンドル９の一端に挿入して両者を組み合わせた後、固定ピン１０を小孔１１、１２に挿入して装着して両者を支持固定する。
【００１５】
手動式ボール弁１Ａを使用して弁開閉防止方法を次に説明する。
（１）まず、ハンドルロック部８を先端部に固定した支持部６を、ハンドル９の操作の邪魔にならないようにヒンジ７を介して手動式ボール弁１Ａから外側に離れるように回転させる。
（２）次に、ハンドル９を操作して図１（ａ）、（ｂ）に示したように弁１Ａを閉の状態に設定する。
（３）弁１Ａを閉の状態に設定した後、支持部６をヒンジ７を介して弁１Ａの方向に回転させて、図１（ａ）に示したように支持部６のハンドルロック部８がハンドル９の外面上の少なくとも一部を包むように組み合わせてハンドル９を固定する。
ヒンジ７に図示しないバネを設置しておき、支持部６を、ヒンジ７を介して弁１Ａから離れるように回転させた後、支持部６をヒンジ７に備えた図示しないバネの作用によって、回転前の位置に戻し、支持部６のハンドルロック部８がハンドル９の外面上の少なくとも一部を包むように組み合わせてハンドル９を固定するようにすることもできる。
（４）図１（ａ）、（ｂ）に示したようにチェーン付き固定ピン１０を、ハンドルロック部８と対応するハンドル９の部分に貫通して予め設置した小孔１１、１２（スルーホール）に挿入して固定する。
前記のようにして確実にハンドル９の偶発的あるいは誤動作による弁開閉を防止できる。
前記操作（２）において、ハンドル９を操作して図１（ｃ）、（ｄ）に示したように弁１Ａを開の状態に設定した後、前記操作（３）において支持部６をヒンジ７を介して弁１Ａの方向に回転させて元の位置に戻すことにより、ハンドル９を操作しようとしても、ハンドル９や手などがハンドルロック部８に当たるのでハンドル９の操作ができない。このようにしてハンドル９の偶発的あるいは誤動作による弁開閉を防止できる。
【００１６】
（第１の参考例）
第１の参考例の手動式ボール弁１Ｂを次に説明する。
図２（ａ）〜（ｄ）において、手動式ボール弁１Ｂは、配管２０に設置され、ロック部材２Ｂを手動式ボール弁１Ｂの外側に固定して装着して構成されている。そしてロック部材２Ｂは、固定部３を備えている。
４は固定部３を手動式ボール弁１Ｂの外側に固定して装着するための金属製バンドであり、５は金属製バンド４を締め付けて固定するための調節具である。
６は支持部であり、ヒンジ７を介して固定部３に連結されており、支持部６はヒンジ７を介して回転可能になっている。そして支持部６の先端部にハンドルロック部８が固定して設置してある。
ハンドルロック部８は、支持部６の先端部をＬ字の形状に曲げて形成されており、使用時にはハンドル９の上面を覆って両者を組み合わせることができる形状を有している。
１０は前記支持部６の外側に固定して装着したチェーン付き固定ピンであり、１１はハンドルロック部８の所定の箇所に設けた小孔、１２はハンドル９の所定の箇所に設けた小孔であり、ハンドルロック部８をハンドル９の上面を覆って両者を組み合わせた後、固定ピン１０を小孔１１、１２に挿入して装着して両者を支持固定する。
【００１７】
手動式ボール弁１Ｂを使用して弁開閉防止方法を次に説明する。
（１）まず、ハンドルロック部８を先端部に固定した支持部６を、ハンドル９の操作の邪魔にならないようにヒンジ７を介して手動式ボール弁１Ｂから外側に離れるように回転させる。
（２）次に、ハンドル９を操作して図２（ａ）〜（ｄ）に示したように弁１Ｂを閉の状態に設定する。
（３）弁１Ｂを閉の状態に設定した後、支持部６をヒンジ７を介して弁１Ｂの方向に回転させて、図２（ａ）〜（ｂ）に示したように支持部６のハンドルロック部８がハンドル９の上面を覆って両者を組み合わせてハンドル９を固定する。
ヒンジ７に図示しないバネを設置しておき、支持部６をヒンジ７を介して弁１Ａから離れるように回転させた後、支持部６をヒンジ７に備えた図示しないバネの作用によって、回転前の位置に戻し、支持部６のハンドルロック部８がハンドル９の上面を覆って両者を組み合わせてハンドル９を固定することもできる。
（４）図２（ａ）、（ｂ）に示したように、チェーン付き固定ピン１０を、ハンドルロック部８と対応するハンドル９の部分に貫通して予め設置した小孔１１、１２（スルーホール）に挿入して固定する。
前記のようにして確実にハンドル９の偶発的あるいは誤動作による弁開閉を防止できる。
【００１８】
（第２の実施態様）
他の手動式ボール弁１Ｃを次に説明する。
図３（ａ）〜（ｄ）において、手動式ボール弁１Ｃは、配管２０に設置され、本発明のロック部材２Ｃを手動式ボール弁１Ｃの外側に固定して装着して構成されている。そしてロック部材２Ｃは、固定部３を備えている。
４は固定部３を手動式ボール弁１Ｃの外側に固定して装着するための金属製バンドであり、５は金属製バンド４を締め付けて固定するための調節具である。
６は支持部であり、ヒンジ７を介して固定部３に連結されており、支持部６はヒンジ７を介して回転可能になっている。そして支持部６の先端部にハンドルロック部８が固定して設置してある。
ハンドルロック部８はコの字の形状に形成されており、使用時にはハンドル９の一端の外面上の一部を包み込んで両者を組み合わせることができる相似形状を有している。
【００１９】
本発明の手動式ボール弁１Ｃを使用して弁開閉防止方法を次に説明する。
（１）まず、ハンドルロック部８を先端部に固定した支持部６を、ハンドル９の操作の邪魔にならないようにヒンジ７を介して手動式ボール弁１Ｃから外側に離れるように回転させる。
（２）次に、ハンドル９を操作して図３（ａ）、（ｂ）に示したように弁１Ｃを閉の状態に設定する。
（３）弁１Ｃを閉の状態に設定した後、支持部６をヒンジ７を介して弁１Ｃの方向に回転させて、図３（ａ）、（ｂ）に示したように支持部６のハンドルロック部８がハンドル９の外面上の少なくとも一部を包むように組み合わせてハンドル９を固定する。
ヒンジ７に図示しないバネを設置しておき、支持部６を、ヒンジ７を介して弁１Ｃから離れるように回転させた後、支持部６をヒンジ７に備えた図示しないバネの作用によって、回転前の位置に戻し、支持部６のハンドルロック部８がハンドル９の外面上の少なくとも一部を包むように組み合わせてハンドル９を固定するようにすることもできる。
前記のようにして確実にハンドル９の偶発的あるいは誤動作による弁開閉を防止できる。
前記操作（２）において、ハンドル９を操作して図３（ｃ）、（ｄ）に示したように弁１Ｃを開の状態に設定した後、前記操作（３）において支持部６をヒンジ７を介して弁１Ｃの方向に回転させて元の位置に戻すことにより、ハンドル９を操作しようとしても、ハンドル９や手などがハンドルロック部８に当たるのでハンドル９の操作ができない。このようにしてハンドル９の偶発的あるいは誤動作による弁開閉を防止できる。
【００２０】
（第２の参考例）
手動式ボール弁１Ｄを次に説明する。
図４（ａ）〜（ｄ）において、手動式ボール弁１Ｄは、配管２０に設置され、ロック部材２Ｄを手動式ボール弁１Ｄの外側に固定して装着して構成されている。そしてロック部材２Ｄは、固定部３を備えている。
４は固定部３を手動式ボール弁１Ｄの外側に固定して装着するための金属製バンドであり、５は金属製バンド４を締め付けて固定するための調節具である。
６は支持部であり、ヒンジ７を介して固定部３に連結されており、支持部６はヒンジ７を介して回転可能になっている。そして支持部６の先端部に回転可能にハンドルロック部８が設置してある。
支持部６の先端部に回転可能に設置されたハンドルロック部８は、太い丸棒や平角棒や太い針金などで略四角の中空の形状に形成されており、使用時にはハンドル９の外周を包み込んで両者を組み合わせることができる相似形状を有している。
【００２１】
手動式ボール弁１Ｄを使用して弁開閉防止方法を次に説明する。
（１）まず、ハンドルロック部８を先端部に固定した支持部６を、ハンドル９の操作の邪魔にならないようにヒンジ７を介して手動式ボール弁１Ｄから外側に離れるように回転させる。
（２）次に、ハンドル９を操作して図４（ａ）〜（ｂ）に示したように弁１Ｄを閉の状態に設定する。
（３）弁１Ｄを閉の状態に設定した後、支持部６をヒンジ７を介して弁１Ｄの方向に回転させて、支持部６のハンドルロック部８の回転も行って、ハンドルロック部８がハンドル９の外周を包み込んで両者を組み合わせてハンドル９を固定する。
ヒンジ７に図示しないバネを設置しておき、支持部６を、ヒンジ７を介して弁１Ｃから離れるように回転させた後、支持部６をヒンジ７に備えた図示しないバネの作用によって、回転前の位置に戻し、ハンドルロック部８の回転も行って、ハンドルロック部８がハンドル９の外周を包み込んで両者を組み合わせてハンドル９を固定するようにすることもできる。
前記のようにして確実にハンドル９の偶発的あるいは誤動作による弁開閉を防止できる。
前記操作（２）において、ハンドル９を操作して図４（ｃ）、（ｄ）に示したたように弁１Ｄを開の状態に設定した後、前記操作（３）において支持部６をヒンジ７を介して弁１Ｄの方向に回転させて元の位置に戻すことにより、ハンドル９を操作しようとしても、ハンドル９や手などがハンドルロック部８に当たるのでハンドル９の操作ができない。このようにしてハンドル９の偶発的あるいは誤動作による弁開閉を防止できる。
【００２２】
（第３の実施態様）
図５（ａ）〜（ｄ）を用いて他の手動式ボール弁１Ｅを次に説明する。
すなわちロック部材を外側に２個（２Ｅ、２Ｅ’）固定して装着した手動式弁１Ｅであって、前記２個のロック部材（２Ｅ、２Ｅ’）は共通の固定部３に固定して装着してあり、かつハンドル９が回転軸２６を中心として棒状のハンドルである場合について説明する。
図５（ａ）〜（ｄ）において、手動式ボール弁１Ｅは、配管２０に設置され、ロック部材２Ｅ、２Ｅ’を手動式ボール弁１Ｅの外側に固定して２個装着して構成されている。そしてロック部材２Ｅ、２Ｅ’は、固定部３を備えている。前記２個のロック部材２Ｅ、２Ｅ’は共通の固定部３に固定して装着してある。
４は固定部３を手動式ボール弁１Ｅの外側に固定して装着するための金属製バンドであり、５は金属製バンド４を締め付けて固定するための調節具である。
６、６’は支持部であり、ヒンジ７、７’を介して共通の固定部３に連結されており、支持部６、６’はヒンジ７、７’を介して回転可能になっている。そして支持部６、６’の先端部にハンドルロック部８、８’が固定して設置してある。
ハンドルロック部８、８’はコの字の形状に形成されており、使用時にハンドル９のそれぞれの一端の外面上の一部を包み込んで両者を組み合わせることができる相似形状を有している。
【００２３】
手動式ボール弁１Ｅを使用して弁開閉防止方法を次に説明する。
（１）まず、ハンドルロック部８、８’を先端部に固定した支持部６、６’を、ハンドル９の操作の邪魔にならないようにヒンジ７、７’を介して手動式ボール弁１Ｅから外側に離れるように回転させる。
（２）次に、ハンドル９を操作して図５（ａ）〜（ｂ）に示したように弁１Ｅを閉の状態に設定する。
（３）弁１Ｅを閉の状態に設定した後、支持部６、６’をヒンジ７、７’を介して弁１Ｅの方向に回転させて、図５（ｂ）に示したように支持部６、６’のハンドルロック部８、８’がハンドル９のそれぞれの一端の外面上の少なくとも一部を包み込むように組み合わせてハンドル９を固定する。
ヒンジ７に図示しないバネを設置しておき、支持部６、６’を、ヒンジ７、７’を介して弁１Ｅから離れるように回転させた後、支持部６、６’をヒンジ７、７’に備えた図示しないバネの作用によって、回転前の位置に戻し、ハンドルロック部８、８’がハンドル９の外周の少なくとも一部を包み込むように組み合わせてハンドル９を固定するようにすることもできる。
前記のようにして確実にハンドル９の偶発的あるいは誤動作による弁開閉を防止できる。
【００２４】
上記実施の形態の説明は、本発明を説明するためのものであって、特許請求の範囲に記載の発明を限定し、或は範囲を減縮するものではない。又、本発明の各部構成は上記実施の形態に限らず、特許請求の範囲に記載の技術的範囲内で種々の変形が可能である。
【００２５】
（１）前記第１〜３の実施形態および第１〜２の参考例においては、ハンドル９は直線的棒状のものを示したが、ハンドル９の形状は特に限定されるものではなく、丸型、三角、四角などいずれでも差し支えない。
（２）前記第１〜３の実施形態および第１〜２の参考例においては、主として手動式ボール弁を閉にした場合について説明したが、勿論、本発明においては手動式ボール弁を開にした場合についても適用可能である。
（３）本発明においては、新品の手動式ボール弁にロック部材を取り付けるだけでなく、配管などに組み込んである現在使用中の手動式ボール弁にロック部材を取り付け、使用中の手動式ボール弁を改造することも可能である。
（４）ロック部材は、金属製、樹脂製あるいはこれらの組合わせでもよく、強度および機能を満足するものであれば材質は特に限定されるものではない。
（５）ロック部材を取り付ける弁の種類は、ボール弁あるいはバタフライ弁など可能であるが、ボール弁であることが最も好ましい。またボール弁という形式を備えていれば、外形はどのような形の弁でも本発明のロック部材を取り付けることが可能であり、本発明の範囲に含まれる。
【００２６】
（製造装置の一実施形態）
図７は製造装置の一実施形態を説明する説明図である。
図７を用いて製造装置４０を説明する。
製造装置４０は原料Ａの貯蔵タンクＴＡに貯蔵した原料Ａを反応装置Ｒへ移送し、原料Ｂの貯蔵タンクＴＢに貯蔵した原料Ｂを反応装置Ｒへ移送して反応装置Ｒ中で原料Ａと原料Ｂを反応させて製品を製造し、製品貯蔵タンクＴＣに貯蔵するようになっている。製品貯蔵タンクＴＣに貯蔵した製品は包装されて出荷するように構成されている。
図７中のＶ１〜Ｖ１３は手動式ボール弁、Ｌ１〜Ｌ１２は配管、ＭＶは電磁弁、Ｐはポンプ、４１は段ボール函、４２はコンベア、４３は包装された製品、４４はパレットを示す。
【００２７】
すなわち、原料Ａを手動式ボール弁Ｖ１を開けて受入れ配管Ｌ１を経て配管Ｌ２を経て貯蔵タンクＴＡに貯蔵し、原料Ｂを手動式ボール弁Ｖ６を開けて受入れ配管Ｌ６を経て配管Ｌ７を経て貯蔵タンクＴＢに貯蔵する。
貯蔵タンクＴＡ、ＴＢに貯蔵した原料Ａ、Ｂを手動式ボール弁Ｖ２、Ｖ７を開けてそれぞれのポンプＰを作動して配管Ｌ３、Ｌ８を経て移送し、そしてドレン弁である手動式ボール弁Ｖ３、Ｖ８は閉めておき、手動式ボール弁Ｖ４、Ｖ９を開け、バイパス用の弁である手動式ボール弁Ｖ５、Ｖ１０は閉めておき、電磁弁ＭＶを開けて、配管Ｌ５、Ｌ１０を経て原料Ａ、Ｂを所定量、反応装置Ｒへ移送する。
【００２８】
そして反応装置Ｒ中で原料Ａと原料Ｂを撹拌器Ｓで撹拌して所定圧力・温度で所定時間、反応させて製品を製造する。反応が終了したら、ドレン弁である手動式ボール弁Ｖ１１は閉めておき、反応装置Ｒの底部に設置した電磁弁ＭＶを開けて、ポンプＰを作動して、手動式ボール弁Ｖ１２を開け、バイパス用の弁である手動式ボール弁Ｖ１３は閉めておき、電磁弁ＭＶを開けて、配管Ｌ１１、Ｌ１２を経て製品を、電磁弁ＭＶを開けて、製品貯蔵タンクＴＣに貯蔵する。
【００２９】
製品貯蔵タンクＴＣに貯蔵した製品はプラスチック製の内袋を有する段ボール函４１に充填され密封されて、コンベア４２により移送され、製品を密封包装した段ボール函４３はパレット４４上に載置され、貯蔵、輸送、出荷されるようになっている。
【００３０】
前記のように流動性のある粉体あるいは液体を流通させる配管に装着した手動式ボール弁Ｖ１〜Ｖ１３は、ハンドルの偶発的あるいは誤動作による弁開閉を防止するための本発明のロック部材を外側に固定して装着したので、確実にハンドルの偶発的あるいは誤動作による弁開閉を防止できる。
製造装置は、具体的には、例えば、手動式ボール弁を、セメント、クレイ、ベントナイトなどの無機粉体、あるいは小麦粉などの有機粉体、塗料、高分子ラテックス製品、石油化学製品、食品のアルコール飲料、スープ類、醤油類など、液状の化学薬品など流動性のある粉体あるいは液体を流通させる化学プラントなどの配管に装着した製造装置を挙げることができる。
【００３１】
（液体製品充填用容器の一実施形態）
図８は液体製品充填用容器の一実施形態を説明する説明図である。
図８を用いて液体製品充填用容器（以下、容器と称す場合がある）３０を説明する。
容器３０は、容器本体３６の底部に本発明の手動式ボール弁Ｖ１４が装着されている。容器３０の上部には液体製品を容器本体３６中に供給する図示しない供給手段があり、図示しない供給手段を用いて液体製品を容器本体３６中に充填する。
容器３０の底部には容器本体３６中に充填した液体製品の排出部３１が容器本体３６と一体的に設けられており、そして排出部３１の端部には手動式ボール弁Ｖ１４を備えた配管３３がフランジ３２を介して接続されている。
３４は配管３３の端部を閉めるために設けて着脱可能なストッパーであり、３５はストッパー３４を係止するチェーンを示す。
【００３２】
図中２Ｆは本発明のロック部材、３は固定部、４は金属バンド、５は調節具、６は支持部、８はハンドルロック部、９はハンドルを示す。これらの機能、作用・効果などは前述の通りであるので、説明を省略する。
容器３０の容器本体３６中に供給する際は図示しない供給手段を用いて液体製品を容器本体３６中に充填する。容器本体３６中に液体製品を充填した容器３０は手動式ボール弁Ｖ１４を閉めた状態で、ストッパー３４を装着して、貯蔵、保存、移送、輸送などを行うことができる。
容器３０の容器本体３６中の液体製品を取り出す際には、ストッパー３４を脱着し、適当な配管、チューブなどを配管３３の端部に付けるか、あるいは付けずに、手動式ボール弁Ｖ１４を開けて、所定量の液体製品を取り出すことができる。
【００３３】
容器３０の容器本体３６中に液体製品を充填したり、液体製品を充填した容器の貯蔵時や取り扱い時あるいは輸送時などにおいて、確実にハンドル９の偶発的あるいは誤動作による弁開閉を容易に防止できるので、液体製品の偶発的流出や偶発的充填停止などを防止しでき、安全に確実に前記作業を行うことができる。
【００３４】
容器は、具体的には、例えば、液状化学薬品を充填するためのコンテナーなど、液体製品の運送用容器に手動式ボール弁を装着したものであり、コンテナーが運送されるに際し、種々の衝撃あるいは物体の衝突などによって誤作動して、弁が「開」の状態になることを防止できる。
【産業上の利用可能性】
【００３５】
本発明の手動式ボール弁用ロック部材は、ハンドルの偶発的あるいは誤動作による弁開閉を防止するための回転軸を中心として棒状のハンドルを有する手動式ボール弁に装着するためのロック部材であって、前記ロック部材は、弁外側に固定して装着した固定部と、ヒンジを介して弁から離れるように回転させた後、支持部が前記ヒンジに備えたバネの作用によって、回転前の位置に戻る機能を備えた支持部とを有し、ハンドルロック部が前記手動式ボール弁の棒状のハンドルの少なくとも一つの長辺末端を包み込んで、前記ハンドルロック部の棒状のハンドルの長辺末端を組み合わせることができる相似形状を有することを特徴とするものであり、
構成が簡単で安価であり、しかも確実にハンドルの偶発的あるいは誤動作による弁開閉を防止できる上、相似形状を有するので両者を組み合わせて支持し易くなり、さらに確実にハンドルの偶発的あるいは誤動作による弁開閉を防止でき、また前記ハンドルが回転軸を中心として棒状のハンドルであるのでよりさらに確実にハンドルの偶発的あるいは誤動作による弁開閉を防止でき、前記ヒンジを介して弁から離れるように回転させた後、前記支持部が前記ヒンジに備えたバネの作用によって、回転前の位置に戻る機能を備えているので閉時にも開時にも確実にハンドルの偶発的あるいは誤動作による弁開閉を防止でき、そしてボール弁であるので、閉時にも開時にも確実にハンドルの偶発的あるいは誤動作による弁開閉を防止できるという顕著な効果を奏するので、産業上の利用価値は甚だ大きい。
【符号の説明】
【００３６】
１Ａ、１Ｂ、１Ｃ、１Ｄ、１Ｅ、Ｖ１〜Ｖ１４  手動式ボール弁
２Ａ、２Ｂ、２Ｃ、２Ｄ、２Ｅ、２Ｅ’、２Ｆ  ロック部材
Ｌ１〜Ｌ１２  配管
３  固定部
４  金属製バンド
５  調節具
６、６’支持部
７、７’ヒンジ
８、８’ハンドルロック部
９  ハンドル
１０  チェーン付き固定ピン
１１、１２  小孔
２０  配管
２６  回転軸
３０  本発明の液体製品充填用容器
３１  排出部
３２  フランジ
３３  配管
３４  ストッパー
３５  チェーン
３６  容器本体
４０  本発明の製造装置
４１  段ボール函
４２  コンベア
４３  包装された製品
４４  パレット
ＴＡ  原料Ａの貯蔵タンク
ＴＢ  原料Ｂの貯蔵タンク
Ｒ  反応装置
ＴＣ  製品貯蔵タンク
Ｓ  撹拌器
【国際調査報告】
2009119887.tif 000011
2009119887.tif 000012
2009119887.tif 000013
2009119887.tif 000014
2009119887.tif 000015
2009119887.tif 000016